(57)【要約】  本願の実施例は端末装置の柔軟な登録モードにおいて、システム間ネットワーク変換を実現することのできる無線通信方法及び装置を提供する。該方法は、第１システムにおける第１ネットワーク装置が端末装置の現在の登録モード及び／又はサポートする登録モードを決定し、前記登録モードはシングルシステムに登録する単重登録モード又はデュアルシステムに登録する二重登録モードであり、前記端末装置が現在前記第１システムにおける第１セルにアクセスしていることと、前記第１ネットワーク装置は前記端末装置の現在の登録モード及び／又はサポートする登録モードに基づいて、前記端末装置が第２システムにおける第２セルにアクセスするために実行すべき又は実行できないプロセスを決定することと、を含む。
2021510030.tif 000002
【特許請求の範囲】
【請求項１】
無線通信方法であって、
第１システムにおける第１ネットワーク装置は、端末装置の現在の登録モード及び／又はサポートする登録モード、及び／又は前記第１システムのＮ２６インターフェースのある又はＮ２６インターフェースのない相互運用へのサポート状況を決定し、前記登録モードはシングルシステムに登録する単重登録モード又はデュアルシステムに登録する二重登録モードであり、前記端末装置が現在前記第１システムにおける第１セルにアクセスしていることと、
前記第１ネットワーク装置は、前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することと、を含むことを特徴とする無線通信方法。
【請求項２】
前記方法は更に、
前記第１ネットワーク装置は前記端末装置から送信された、前記端末装置の現在の登録モード及び／又はサポートする登録モードを示すための第１情報を受信することを含むことを特徴とする請求項１に記載の方法。
【請求項３】
前記第１情報は登録メッセージ又は位置更新メッセージに含まれることを特徴とする請求項２に記載の方法。
【請求項４】
前記方法は更に、
前記第１ネットワーク装置は第２ネットワーク装置から送信された、前記端末装置の現在の登録モードを示すための第２情報を受信することを含むことを特徴とする請求項１に記載の方法。
【請求項５】
前記方法は更に、
前記端末装置が前記第１セルにアクセスした後、前記第１ネットワーク装置は、前記端末装置が前記第２システムに登録した後に前記第２ネットワーク装置が前記第１ネットワーク装置に通知することを示すための購読通知を前記第２ネットワーク装置に送信することと、
前記第２情報は前記端末装置が前記第２システムに登録していることを示すことにより、前記端末装置の現在のモードが二重登録モードであることを示すことと、を含むことを特徴とする請求項４に記載の方法。
【請求項６】
前記第１ネットワーク装置が前記第２ネットワーク装置に購読通知を送信することは、
前記端末装置が二重登録モードをサポートすることを決定した場合、前記第１ネットワーク装置が前記第２ネットワーク装置に前記購読通知を送信することを含むことを特徴とする請求項５に記載の方法。
【請求項７】
前記第２ネットワーク装置は統合データ管理（ＵＤＭ）＋ホーム加入者サーバ（ＨＳＳ）のネットワーク要素であることを特徴とする請求項４〜６のいずれか１項に記載の方法。
【請求項８】
前記方法は更に、
前記第１ネットワーク装置が前記第１システムの第３ネットワーク装置から送信された、前記端末装置の現在の前記第２システムへの登録状況を示すための第３情報を受信することを含み、
第１システムにおける第１ネットワーク装置が端末装置の現在の登録モード及び／又はサポートする登録モードを決定することは、
前記第１ネットワーク装置が前記端末装置の現在の前記第２システムへの登録状況に応じて、前記端末装置の現在の登録モードを決定することを含むことを特徴とする請求項１に記載の方法。
【請求項９】
前記第１ネットワーク装置が前記第１システムにおけるアクセスネットワーク装置であり、前記第３ネットワーク装置が前記第１システムにおけるコアネットワーク装置であり、
前記第３情報は、ハンドオーバ要求拒絶メッセージにおける原因値であって、前記端末装置が現在前記第２システムに登録していることを示すことに用いられることを特徴とする請求項８に記載の方法。
【請求項１０】
前記方法は更に、
前記第３ネットワーク装置がＮ２６インターフェースを介して前記第２システムのコアネットワーク装置にリロケーション要求を送信するために、前記第１ネットワーク装置が前記第３ネットワーク装置にハンドオーバ要求を送信することを含むことを特徴とする請求項９に記載の方法。
【請求項１１】
前記端末装置の現在の登録モードが単重登録モードである場合、前記実行すべきプロセスがハンドオーバプロセス又はリダイレクションプロセスであることを特徴とする請求項１〜１０のいずれか１項に記載の方法。
【請求項１２】
前記端末装置が現在前記第１セルと接続状態を維持し、且つ前記第１システムと前記第２システムとの間にＮ２６インターフェースをサポートする場合、前記実行すべきプロセスがハンドオーバプロセスであり、又は、
前記端末装置が現在前記第１セルと接続状態を維持し、且つ前記第１システムがＮ２６インターフェースのある相互運用をサポートする場合、前記実行すべきプロセスがハンドオーバプロセスであることを特徴とする請求項１１に記載の方法。
【請求項１３】
前記端末装置が現在前記第１セルと接続状態を維持し、前記第１システムと前記第２システムとの間にＮ２６インターフェースをサポートしない場合、前記実行すべきプロセスがリダイレクションプロセスであり、又は、
前記端末装置が現在前記第１セルと接続状態を維持し、且つ前記第１システムがＮ２６インターフェースのない相互運用をサポートする場合、前記実行すべきプロセスがリダイレクションプロセスであることを特徴とする請求項１１に記載の方法。
【請求項１４】
前記端末装置はネットワーク側から送信された、ネットワーク側がＮ２６インターフェースのないハンドオーバをサポートすることを示すための指示情報を識別する場合、前記端末装置はトリガーされたリダイレクションプロセスを実行した後、前記ネットワーク側にアタッチ要求メッセージを送信し、又は、
前記端末装置はネットワーク側から送信された、ネットワーク側がＮ２６インターフェースのないハンドオーバをサポートすることを示すための指示情報を識別せず又は受信していない場合、前記端末装置はトリガーされたリダイレクションプロセスを実行した後、位置更新（ＴＡＵ）要求メッセージを送信することを特徴とする請求項１３に記載の方法。
【請求項１５】
前記端末装置の現在の登録モードが単重登録モードであって、前記端末装置のサポートする登録モードが二重登録モードである場合、前記実行すべきプロセスは前記第１セルとの接続を維持しながら前記第２セルにアクセスするプロセスであることを特徴とする請求項１〜１０のいずれか１項に記載の方法。
【請求項１６】
前記端末装置の現在の登録モードが二重登録モードである場合、前記実行すべきプロセスはリダイレクションプロセスであることを特徴とする請求項１〜１０のいずれか１項に記載の方法。
【請求項１７】
前記端末装置はトリガーされたリダイレクションプロセスを実行した後、前記ネットワーク側にアタッチ要求メッセージを送信することを特徴とする請求項１６に記載の方法。
【請求項１８】
前記第１システムと前記第２システムとはＮ２６インターフェースをサポートすることを特徴とする請求項１６又は１７に記載の方法。
【請求項１９】
前記第１システムがＮ２６インターフェースのある相互運用をサポートする場合、前記実行すべきプロセスはハンドオーバプロセスであることを特徴とする請求項１〜１０のいずれか１項に記載の方法。
【請求項２０】
前記第１システムがＮ２６インターフェースのない相互運用をサポートし、及び／又は前記端末装置の現在の登録モードが二重登録モードである場合、前記実行すべきプロセスはリダイレクションプロセスであることを特徴とする請求項１〜１０のいずれか１項に記載の方法。
【請求項２１】
前記第１ネットワーク装置はコアネットワーク装置であることを特徴とする請求項１〜２０のいずれか１項に記載の方法。
【請求項２２】
前記方法は更に、
前記コアネットワーク装置は前記第１システムにおけるアクセスネットワーク装置のトリガーした、前記端末装置の現在アクセス中のセルをハンドオーバするように要求するためのハンドオーバ要求を受信することを含み、
前記第１ネットワーク装置が前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することは、
ハンドオーバプロセスに応答して、前記コアネットワーク装置は前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することを含むことを特徴とする請求項２１に記載の方法。
【請求項２３】
前記方法は更に、
前記コアネットワーク装置は前記端末装置が前記第２セルにアクセスしてハンドオーバプロセスを実行できないことを決定した場合、前記コアネットワーク装置は前記アクセスネットワーク装置にハンドオーバ拒絶メッセージを送信することを含むことを特徴とする請求項２２に記載の方法。
【請求項２４】
前記ハンドオーバ拒絶メッセージには、前記端末装置の現在の登録モード、サポートする登録モード又は実行すべきプロセスが含まれることを特徴とする請求項２３に記載の方法。
【請求項２５】
前記ハンドオーバ拒絶メッセージには前記ハンドオーバ要求メッセージを拒絶する原因値が含まれることを特徴とする請求項２３に記載の方法。
【請求項２６】
前記第１ネットワーク装置はアクセスネットワーク装置であることを特徴とする請求項１〜２０のいずれか１項に記載の方法。
【請求項２７】
前記方法は更に、
前記実行すべきプロセスがハンドオーバプロセスである場合、前記アクセスネットワーク装置が前記第１システムのコアネットワーク装置に対してハンドオーバ要求メッセージをトリガーすることと、
前記実行すべきプロセスがアタッチプロセス又はリダイレクションプロセスである場合、前記アクセスネットワーク装置は前記端末装置に対して、前記第１セルとの接続を維持しながら前記第２セルにアクセスするプロセス又はリダイレクションプロセスをトリガーすることと、を含むことを特徴とする請求項２６に記載の方法。
【請求項２８】
前記方法は更に、
前記アクセスネットワーク装置がコアネットワーク装置にハンドオーバ要求メッセージを送信することと、
前記アクセスネットワーク装置がハンドオーバ拒絶メッセージを受信し、前記ハンドオーバ拒絶メッセージには、前記第１システムがＮ２６インターフェースのない相互運用をサポートし及び／又は前記端末が二重登録モードにあることを示すための指示情報が含まれることと、を含むことを特徴とする請求項２６に記載の方法。
【請求項２９】
前記第１システムのＮ２６インターフェースのある又はＮ２６インターフェースのない相互運用へのサポート状況は、前記アクセスネットワーク装置がプリセット情報に基づいて決定したものであることを特徴とする請求項２６に記載の方法。
【請求項３０】
前記プリセット情報は前記第１システムのコアネットワーク装置から送信されたＮ２メッセージからのものであることを特徴とする請求項２９に記載の方法。
【請求項３１】
前記プリセット情報は前記第１システムのコアネットワーク装置が前記端末又は他の端末の登録メッセージに対して返信したメッセージからのものであることを特徴とする請求項２９又は３０に記載の方法。
【請求項３２】
前記プリセット情報は、少なくとも１つの公衆陸上移動網（ＰＬＭＮ）に対応するシステムのＮ２６インターフェースのある又はＮ２６インターフェースのない相互運用へのサポート状況を含むことを特徴とする請求項２６に記載の方法。
【請求項３３】
前記第１システムが５Ｇシステムであり、前記第２システムがロングタームエボリューション（ＬＴＥ）システムであり、又は、
前記第１システムがロングタームエボリューション（ＬＴＥ）システムであり、前記第２システムが５Ｇシステムであることを特徴とする請求項１〜３２のいずれか１項に記載の方法。
【請求項３４】
無線通信方法であって、
第２ネットワーク装置は端末装置の現在の登録モード、サポートする登録モード、前記第１システムのＮ２６インターフェースのある又はＮ２６インターフェースのない相互運用へのサポート状況、少なくとも１つの公衆陸上移動網（ＰＬＭＮ）に対応するシステムのＮ２６インターフェースのある又はＮ２６インターフェースのない相互運用へのサポート状況及び前記端末装置の現在の第２システムへの登録状況のうちの少なくとも１つを決定することと、
前記第２ネットワーク装置は前記端末装置の現在の登録モード、サポートする登録モード、前記第１システムのＮ２６インターフェースのある又はＮ２６インターフェースのない相互運用へのサポート状況、少なくとも１つのＰＬＭＮに対応するシステムのＮ２６インターフェースのある又はＮ２６インターフェースのない相互運用へのサポート状況及び前記端末装置の現在の第２システムへの登録状況のうちの少なくとも１つを示すための指示情報を第１システムにおける第１ネットワーク装置に送信することと、を含むことを特徴とする無線通信方法。
【請求項３５】
前記第２ネットワーク装置が端末装置の現在の登録モード及び／又はサポートする登録モードを決定することは、
前記第２ネットワーク装置は前記端末装置から送信された登録メッセージ又は位置更新メッセージに基づいて、前記端末装置の現在の登録モード、サポートする登録モード及び前記端末装置の現在の第２システムへの登録状況のうちの少なくとも１つを決定することを含むことを特徴とする請求項３４に記載の方法。
【請求項３６】
前記方法は更に、
前記第２ネットワーク装置は前記第１ネットワーク装置から送信された、前記端末装置が第２システムに登録した後に前記第２ネットワーク装置が前記第１ネットワーク装置に通知することを示すための購読通知を受信し、前記端末装置が前記第１システムに登録していることと、
前記指示情報は、前記端末装置が前記第２システムに登録していることを示すことにより、前記端末装置の現在のモードが二重登録モードであることを示すことと、を含むことを特徴とする請求項３４又は３５に記載の方法。
【請求項３７】
前記第２ネットワーク装置は統合データ管理（ＵＤＭ）＋ホーム加入者サーバ（ＨＳＳ）のネットワーク要素であることを特徴とする請求項３４〜３６のいずれか１項に記載の方法。
【請求項３８】
前記第２ネットワーク装置が前記第２システムにおけるコアネットワーク装置であり、前記第１ネットワーク装置が前記第１システムのコアネットワーク装置であり、
前記指示情報は、前記端末装置が前記第２システムに登録しており又は前記第２システムから登録を解除したことを示すことに用いられることを特徴とする請求項３７に記載の方法。
【請求項３９】
前記第２ネットワーク装置が前記第１システムにおけるコアネットワーク装置であり、前記第１ネットワーク装置が前記第１システムのアクセスネットワーク装置であることを特徴とする請求項３４に記載の方法。
【請求項４０】
前記方法は更に、
前記第２ネットワーク装置は、前記第２システムのコアネットワーク装置から送信された、前記端末装置の現在の第２システムへの登録状況を示すための情報を受信することを含むことを特徴とする請求項３９に記載の方法。
【請求項４１】
前記第２ネットワーク装置は前記第１ネットワーク装置から送信されたハンドオーバ要求メッセージを受信し、
前記第１システムがＮ２６インターフェースのない相互運用をサポートし、及び／又は前記端末が二重登録モードにある場合、前記第２ネットワーク装置は前記第１ネットワーク装置にハンドオーバ拒絶メッセージを送信し、前記第１指示情報は前記ハンドオーバ拒絶メッセージに含まれ、前記第１指示情報は、前記第１システムがＮ２６インターフェースのない相互運用をサポートし及び／又は前記端末が二重登録モードにあることを示すことに用いられることを特徴とする請求項３９に記載の方法。
【請求項４２】
無線通信方法であって、
端末装置は前記端末装置の現在の登録モード及び／又はサポートする登録モードを示すための第１情報を生成することと、
前記端末装置は前記端末装置の現在の登録モード及び／又はサポートする登録モードを示すための前記第１情報をネットワーク装置に送信することと、を含むことを特徴とする無線通信方法。
【請求項４３】
前記第１情報は登録メッセージ又は位置更新メッセージに含まれることを特徴とする請求項４２に記載の方法。
【請求項４４】
無線通信方法であって、
端末装置はネットワーク装置から送信された、少なくとも１つの公衆陸上移動網（ＰＬＭＮ）に対応するシステムのＮ２６インターフェースのある又はＮ２６インターフェースのない相互運用へのサポート状況を示すための指示情報を受信することと、
少なくとも１つのＰＬＭＮに対応するシステムのＮ２６インターフェースのある又はＮ２６インターフェースのない相互運用へのサポート状況に応じて、アクセスのためのＰＬＭＮを選択することと、を含むことを特徴とする無線通信方法。
【請求項４５】
無線通信方法であって、
ネットワーク装置は、少なくとも１つの公衆陸上移動網（ＰＬＭＮ）に対応するシステムのＮ２６インターフェースのある又はＮ２６インターフェースのない相互運用へのサポート状況を取得することと、
前記ネットワーク装置は、少なくとも１つのＰＬＭＮに対応するシステムのＮ２６インターフェースのある又はＮ２６インターフェースのない相互運用へのサポート状況を示すための指示情報を端末装置に送信することと、を含むことを特徴とする無線通信方法。
【請求項４６】
無線通信方法であって、
アクセスネットワーク装置は、端末に対するハンドオーバ要求メッセージをソースコアネットワーク装置に送信することと、
前記アクセスネットワーク装置は前記コアネットワーク装置から送信されたハンドオーバ拒絶メッセージを受信することと、
前記ハンドオーバ拒絶メッセージに応答して、前記アクセスネットワーク装置は前記端末に対して無線リソース制御（ＲＲＣ）リダイレクション動作をトリガーすることと、を含むことを特徴とする無線通信方法。
【請求項４７】
ネットワーク装置であって、前記ネットワーク装置は第１システムにおける第１ネットワーク装置であって、第１決定ユニット及び第２決定ユニットを備え、
前記第１決定ユニットは、端末装置の現在の登録モード及び／又はサポートする登録モード、及び／又は前記第１システムのＮ２６インターフェースのある又はＮ２６インターフェースのない相互運用へのサポート状況を決定することに用いられ、前記登録モードはシングルシステムに登録する単重登録モード又はデュアルシステムに登録する二重登録モードであり、前記端末装置が現在前記第１システムにおける第１セルにアクセスしており、
前記第２決定ユニットは、前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することに用いられることを特徴とするネットワーク装置。
【請求項４８】
前記ネットワーク装置は更に、
前記端末装置から送信された、前記端末装置の現在の登録モード及び／又はサポートする登録モードを示すための第１情報を受信することに用いられる通信ユニットを備えることを特徴とする請求項４７に記載の装置。
【請求項４９】
前記第１情報は登録メッセージ又は位置更新メッセージに含まれることを特徴とする請求項４８に記載の装置。
【請求項５０】
前記ネットワーク装置は更に、
第２ネットワーク装置から送信された、前記端末装置の現在の登録モードを示すための第２情報を受信することに用いられる通信ユニットを備えることを特徴とする請求項４７に記載の装置。
【請求項５１】
前記通信ユニットは更に、
前記端末装置が前記第１セルにアクセスした後、前記端末装置が前記第２システムに登録した後に前記第２ネットワーク装置が前記第１ネットワーク装置に通知することを示すための購読通知を前記第２ネットワーク装置に送信することに用いられ、
前記第２情報は前記端末装置が前記第２システムに登録していることを示すことにより、前記端末装置の現在のモードが二重登録モードであることを示すことを特徴とする請求項５０に記載の装置。
【請求項５２】
前記通信ユニットは更に、
前記端末装置が二重登録モードをサポートすることを決定した場合、前記第１ネットワーク装置が前記第２ネットワーク装置に前記購読通知を送信することに用いられることを特徴とする請求項５１に記載の装置。
【請求項５３】
前記第２ネットワーク装置は統合データ管理（ＵＤＭ）＋ホーム加入者サーバ（ＨＳＳ）のネットワーク要素であることを特徴とする請求項５０〜５２のいずれか１項に記載の装置。
【請求項５４】
前記ネットワーク装置は更に、
前記第１システムの第３ネットワーク装置から送信された、前記端末装置の現在の前記第２システムへの登録状況を示すための第３情報を受信することに用いられる通信ユニットを備え、
前記第１決定ユニットは更に、
前記端末装置の現在の前記第２システムへの登録状況に応じて、前記端末装置の現在の登録モードを決定することに用いられることを特徴とする請求項４７に記載の装置。
【請求項５５】
前記第１ネットワーク装置が前記第１システムにおけるアクセスネットワーク装置であり、前記第３ネットワーク装置が前記第１システムにおけるコアネットワーク装置であり、
前記第３情報は、ハンドオーバ要求拒絶メッセージにおける原因値であって、前記端末装置が現在前記第２システムに登録していることを示すことに用いられることを特徴とする請求項５４に記載の装置。
【請求項５６】
前記通信ユニットは更に、
前記第３ネットワーク装置がＮ２６インターフェースを介して前記第２システムのコアネットワーク装置にリロケーション要求を送信するために、前記第３ネットワーク装置にハンドオーバ要求を送信することに用いられることを特徴とする請求項５５に記載の装置。
【請求項５７】
前記端末装置の現在の登録モードが単重登録モードである場合、前記実行すべきプロセスはハンドオーバプロセス又はリダイレクションプロセスであることを特徴とする請求項４７〜５６のいずれか１項に記載の装置。
【請求項５８】
前記端末装置が現在前記第１セルと接続状態を維持し、且つ前記第１システムと前記第２システムとの間にＮ２６インターフェースをサポートする場合、前記実行すべきプロセスがハンドオーバプロセスであり、又は、
前記端末装置が現在前記第１セルと接続状態を維持し、且つ前記第１システムがＮ２６インターフェースのある相互運用をサポートする場合、前記実行すべきプロセスがハンドオーバプロセスであることを特徴とする請求項５７に記載の装置。
【請求項５９】
前記端末装置が現在前記第１セルと接続状態を維持し、前記第１システムと前記第２システムとの間にＮ２６インターフェースをサポートしない場合、前記実行すべきプロセスがリダイレクションプロセスであり、又は、
前記端末装置が現在前記第１セルと接続状態を維持し、前記第１システムがＮ２６インターフェースのない相互運用をサポートする場合、前記実行すべきプロセスがリダイレクションプロセスであることを特徴とする請求項５７に記載の装置。
【請求項６０】
前記端末装置はネットワーク側から送信された、ネットワーク側がＮ２６インターフェースのないハンドオーバをサポートすることを示すための指示情報を識別する場合、前記端末装置はトリガーされたリダイレクションプロセスを実行した後、前記ネットワーク側にアタッチ要求メッセージを送信し、又は、
前記端末装置はネットワーク側から送信された、ネットワーク側がＮ２６インターフェースのないハンドオーバをサポートすることを示すための指示情報を識別せず又は受信していない場合、前記端末装置はトリガーされたリダイレクションプロセスを実行した後、位置更新（ＴＡＵ）要求メッセージを送信することを特徴とする請求項５９に記載の装置。
【請求項６１】
前記端末装置の現在の登録モードが単重登録モードであって、前記端末装置のサポートする登録モードが二重登録モードである場合、前記実行すべきプロセスは前記第１セルとの接続を維持しながら前記第２セルにアクセスするプロセスであることを特徴とする請求項４７〜５６のいずれか１項に記載の装置。
【請求項６２】
前記端末装置の現在の登録モードが二重登録モードである場合、前記実行すべきプロセスはリダイレクションプロセスであることを特徴とする請求項４７〜５６のいずれか１項に記載の装置。
【請求項６３】
前記端末装置はトリガーされたリダイレクションプロセスを実行した後、前記ネットワーク側にアタッチ要求メッセージを送信することを特徴とする請求項６２に記載の装置。
【請求項６４】
前記第１システムと前記第２システムとはＮ２６インターフェースをサポートすることを特徴とする請求項６２又は６３に記載の装置。
【請求項６５】
前記第１システムがＮ２６インターフェースのある相互運用をサポートする場合、前記実行すべきプロセスはハンドオーバプロセスであることを特徴とする請求項４７〜５６のいずれか１項に記載の装置。
【請求項６６】
前記第１システムがＮ２６インターフェースのない相互運用をサポートし、及び／又は前記端末装置の現在の登録モードが二重登録モードである場合、前記実行すべきプロセスはリダイレクションプロセスであることを特徴とする請求項４７〜５６のいずれか１項に記載の装置。
【請求項６７】
前記ネットワーク装置はコアネットワーク装置であることを特徴とする請求項４７〜６６のいずれか１項に記載の装置。
【請求項６８】
前記ネットワーク装置は更に、
前記第１システムにおけるアクセスネットワーク装置のトリガーした、前記端末装置の現在アクセス中のセルをハンドオーバするように要求するためのハンドオーバ要求を受信することに用いられる通信ユニットを備え、
前記第２決定ユニットは更に、
ハンドオーバプロセスに応答して、前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することに用いられることを特徴とする請求項６７に記載の装置。
【請求項６９】
前記通信ユニットは更に、
前記第２決定ユニットは前記端末装置が前記第２セルにアクセスしてハンドオーバプロセスを実行できないことを決定した場合、前記コアネットワーク装置は前記アクセスネットワーク装置にハンドオーバ拒絶メッセージを送信することに用いられることを特徴とする請求項６８に記載の装置。
【請求項７０】
前記ハンドオーバ拒絶メッセージには、前記端末装置の現在の登録モード、サポートする登録モード又は実行すべきプロセスが含まれることを特徴とする請求項６９に記載の装置。
【請求項７１】
前記ハンドオーバ拒絶メッセージには、前記ハンドオーバ要求を拒絶する原因値が含まれることを特徴とする請求項６９に記載の装置。
【請求項７２】
前記ネットワーク装置はアクセスネットワーク装置であることを特徴とする請求項４７〜６６のいずれか１項に記載の装置。
【請求項７３】
前記ネットワーク装置は更に通信ユニットを備え、前記通信ユニットは、
前記実行すべきプロセスがハンドオーバプロセスである場合、前記第１システムのコアネットワーク装置に対してハンドオーバ要求メッセージをトリガーすることと、
前記実行すべきプロセスがアタッチプロセス又はリダイレクションプロセスである場合、前記端末装置に対して、前記第１セルとの接続を維持しながら前記第２セルにアクセスするプロセス又はリダイレクションプロセスをトリガーすることと、に用いられることを特徴とする請求項７２に記載の装置。
【請求項７４】
前記ネットワーク装置は更に通信ユニットを備え、前記通信ユニットは、
前記アクセスネットワーク装置がコアネットワーク装置にハンドオーバ要求メッセージを送信することと、
前記アクセスネットワーク装置がハンドオーバ拒絶メッセージを受信し、前記ハンドオーバ拒絶メッセージには、前記第１システムがＮ２６インターフェースのない相互運用をサポートし及び／又は前記端末が二重登録モードにあることを示すための指示情報が含まれることと、に用いられることを特徴とする請求項７２に記載の装置。
【請求項７５】
前記第１システムのＮ２６インターフェースのある又はＮ２６インターフェースのない相互運用へのサポート状況は、前記アクセスネットワーク装置がプリセット情報に基づいて決定したものであることを特徴とする請求項７２に記載の装置。
【請求項７６】
前記プリセット情報は、前記第１システムのコアネットワーク装置から送信されたＮ２メッセージからのものであることを特徴とする請求項７５に記載の装置。
【請求項７７】
前記プリセット情報は、前記第１システムのコアネットワーク装置が前記端末又は他の端末の登録メッセージに対して返信したメッセージからのものであることを特徴とする請求項７５又は７６に記載の装置。
【請求項７８】
前記プリセット情報は、少なくとも１つの公衆陸上移動網（ＰＬＭＮ）に対応するシステムのＮ２６インターフェースのある又はＮ２６インターフェースのない相互運用へのサポート状況を含むことを特徴とする請求項７２に記載の装置。
【請求項７９】
前記第１システムが５Ｇシステムであり、前記第２システムがロングタームエボリューション（ＬＴＥ）システムであり、又は、
前記第１システムがロングタームエボリューション（ＬＴＥ）システムであり、前記第２システムが５Ｇシステムであることを特徴とする請求項４７〜７８のいずれか１項に記載の装置。
【請求項８０】
ネットワーク装置であって、
端末装置の現在の登録モード、サポートする登録モード、前記第１システムのＮ２６インターフェースのある又はＮ２６インターフェースのない相互運用へのサポート状況、少なくとも１つの公衆陸上移動網（ＰＬＭＮ）に対応するシステムのＮ２６インターフェースのある又はＮ２６インターフェースのない相互運用へのサポート状況、及び前記端末装置の現在の第２システムへの登録状況のうちの少なくとも１つを決定することに用いられる決定ユニットと、
前記端末装置の現在の登録モード、サポートする登録モード、前記第１システムのＮ２６インターフェースのある又はＮ２６インターフェースのない相互運用へのサポート状況、少なくとも１つのＰＬＭＮに対応するシステムのＮ２６インターフェースのある又はＮ２６インターフェースのない相互運用へのサポート状況、及び前記端末装置の現在の第２システムへの登録状況のうちの少なくとも１つを示すための指示情報を第１システムにおける第１ネットワーク装置に送信することに用いられる通信ユニットと、を備えることを特徴とするネットワーク装置。
【請求項８１】
前記決定ユニットは更に、
前記端末装置から送信された登録メッセージ又は位置更新メッセージに基づいて、前記端末装置の現在の登録モード、サポートする登録モード及び前記端末装置の現在の第２システムへの登録状況のうちの少なくとも１つを決定することに用いられることを特徴とする請求項８０に記載の装置。
【請求項８２】
前記通信ユニットは更に、
前記第１ネットワーク装置から送信された、前記端末装置が第２システムに登録した後に前記第２ネットワーク装置が前記第１ネットワーク装置に通知することを示すための購読通知を受信することに用いられ、前記端末装置が前記第１システムに登録しており、
前記指示情報は、前記端末装置が前記第２システムに登録していることを示すことにより、前記端末装置の現在のモードが二重登録モードであることを示すことを特徴とする請求項８０又は８１に記載の装置。
【請求項８３】
前記第２ネットワーク装置は統合データ管理（ＵＤＭ）＋ホーム加入者サーバ（ＨＳＳ）のネットワーク要素であることを特徴とする請求項８０〜８２のいずれか１項に記載の装置。
【請求項８４】
前記ネットワーク装置が前記第２システムにおけるコアネットワーク装置であり、前記第１ネットワーク装置が前記第１システムのコアネットワーク装置であり、
前記指示情報は、前記端末装置が前記第２システムに登録しており又は前記第２システムから登録を解除したことを示すことに用いられることを特徴とする請求項８０に記載の装置。
【請求項８５】
前記第２ネットワーク装置は前記第１システムにおけるコアネットワーク装置であり、前記第１ネットワーク装置は前記第１システムのアクセスネットワーク装置であることを特徴とする請求項８０に記載の装置。
【請求項８６】
前記通信ユニットは更に、
前記第２システムのコアネットワーク装置から送信された、前記端末装置の現在の第２システムへの登録状況を示すための情報を受信することに用いられることを特徴とする請求項８５に記載の装置。
【請求項８７】
前記通信ユニットは更に、
前記第１ネットワーク装置から送信されたハンドオーバ要求メッセージを受信することと、
前記第１システムがＮ２６インターフェースのない相互運用をサポートし、及び／又は前記端末が二重登録モードにある場合、前記第１ネットワーク装置にハンドオーバ拒絶メッセージを送信することと、に用いられ、
前記第１指示情報は前記ハンドオーバ拒絶メッセージに含まれ、前記第１指示情報は、前記第１システムがＮ２６インターフェースのない相互運用をサポートし及び／又は前記端末が二重登録モードにあることを示すことに用いられることを特徴とする請求項８５に記載の装置。
【請求項８８】
端末装置であって、
前記端末装置の現在の登録モード及び／又はサポートする登録モードを示すための指示情報を生成することに用いられる生成ユニットと、
前記端末装置の現在の登録モード及び／又はサポートする登録モードを示すための前記指示情報をネットワーク装置に送信することに用いられる通信ユニットと、を備えることを特徴とする端末装置。
【請求項８９】
前記指示情報は登録メッセージ又は位置更新メッセージに含まれることを特徴とする請求項８８に記載の装置。
【請求項９０】
端末装置であって、
ネットワーク装置から送信された、少なくとも１つの公衆陸上移動網（ＰＬＭＮ）に対応するシステムのＮ２６インターフェースのある又はＮ２６インターフェースのない相互運用へのサポート状況を示すための指示情報を受信することに用いられる通信ユニットと、
少なくとも１つのＰＬＭＮに対応するシステムのＮ２６インターフェースのある又はＮ２６インターフェースのない相互運用へのサポート状況に応じて、アクセスのためのＰＬＭＮを選択することに用いられる選択ユニットと、を備えることを特徴とする端末装置。
【請求項９１】
ネットワーク装置であって、
少なくとも１つの公衆陸上移動網（ＰＬＭＮ）に対応するシステムのＮ２６インターフェースのある又はＮ２６インターフェースのない相互運用へのサポート状況を取得することに用いられる取得ユニットと、
少なくとも１つのＰＬＭＮに対応するシステムのＮ２６インターフェースのある又はＮ２６インターフェースのない相互運用へのサポート状況を示すための指示情報を端末装置に送信することに用いられる通信ユニットと、を備えることを特徴とするネットワーク装置。
【請求項９２】
アクセスネットワーク装置であって、
端末に対するハンドオーバ要求メッセージをソースコアネットワーク装置に送信することと、前記ソースコアネットワーク装置から送信されたハンドオーバ拒絶メッセージを受信することとに用いられる通信ユニットと、
前記ハンドオーバ拒絶メッセージに応答して、前記端末に対して無線リソース制御（ＲＲＣ）リダイレクション動作をトリガーすることに用いられる処理ユニットと、を備えることを特徴とするアクセスネットワーク装置。
【発明の詳細な説明】
【関連出願の相互参照】
【０００１】
本願は、２０１８年１月５日に提出した中国特許出願第ＰＣＴ／ＣＮ２０１８／０７１６３０号、発明の名称「無線通信方法及び装置」のＰＣＴ特許出願、及び２０１８年１月１０日に提出した中国特許出願第ＰＣＴ／ＣＮ２０１８／０７２１４１号、発明の名称「無線通信方法及び装置」のＰＣＴ出願の優先権を主張し、その全ての内容は援用により本願に取り込まれる。
【技術分野】
【０００２】
本願は通信分野に関し、より具体的に、無線通信方法及び装置に関する。
【背景技術】
【０００３】
端末装置は５Ｇ新無線（ＮＲ、Ｎｅｗ  Ｒａｄｉｏ）ネットワークから４Ｇロングタームエボリューション（ＬＴＥ、Ｌｏｎｇ  Ｔｅｒｍ  Ｅｖｏｌｕｔｉｏｎ）ネットワークに移動した後、５Ｇコアネットワーク（５ＧＣ、５Ｇ  Ｃｏｒｅ）から進化型パケットコアネットワーク（ＥＰＣ、Ｅｖｏｌｖｅｄ  Ｐａｃｋｅｔ  Ｃｏｒｅ）装置へシステム間ハンドオーバを行うことができる。
【０００４】
ＮＲシステムにおいて、端末装置の登録モードは柔軟になり、単一のシステムに登録されてもよく、複数のシステムに登録されてもよい。
【０００５】
従って、どのように柔軟な登録モードにおいてシステム間ネットワーク変換を実現するかは早急な解決の待たれる問題である。
【発明の概要】
【発明が解決しようとする課題】
【０００６】
本願の実施例は端末装置の柔軟な登録モードにおいて、システム間ネットワーク変換を実現することのできる無線通信方法及び装置を提供する。
【課題を解決するための手段】
【０００７】
第１態様では無線通信方法を提供し、
第１システムにおける第１ネットワーク装置は端末装置の現在の登録モード及び／又はサポートする登録モード、及び／又は前記第１システムのＮ２６インターフェースのある又はＮ２６インターフェースのない相互運用へのサポート状況を決定し、前記登録モードはシングルシステムに登録する単重登録モード又はデュアルシステムに登録する二重登録モードであり、前記端末装置が現在前記第１システムにおける第１セルにアクセスしていることと、
前記第１ネットワーク装置は前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することと、を含む。
【０００８】
従って、本願の実施例では、システム間ネットワーク変換の場合、ネットワーク装置は端末装置の現在の登録モード及び／又はサポートする登録モードに基づいて、前記端末装置が第２システムにおける第２セルにアクセスするために実行すべき又は実行できないプロセスを決定することができ、柔軟な登録モードでのシステム間ネットワーク変換を実現することができる。
【０００９】
第１態様を参照して、第１態様の可能な実現方式では、前記方法は更に、
前記第１ネットワーク装置は前記端末装置から送信された、前記端末装置の現在の登録モード及び／又はサポートする登録モードを示すための第１情報を受信することを含む。
【００１０】
第１態様又は上記いずれか１つの可能な実現方式を参照して、第１態様の他の可能な実現方式では、前記第１情報は登録メッセージ又は位置更新メッセージに含まれる。
【００１１】
第１態様又は上記いずれか１つの可能な実現方式を参照して、第１態様の他の可能な実現方式では、前記方法は更に、
前記第１ネットワーク装置は第２ネットワーク装置から送信された、前記端末装置の現在の登録モードを示すための第２情報を受信することを含む。
【００１２】
第１態様又は上記いずれか１つの可能な実現方式を参照して、第１態様の他の可能な実現方式では、前記方法は更に、
前記端末装置が前記第１セルにアクセスした後、前記第１ネットワーク装置は前記端末装置が前記第２システムに登録した後に前記第２ネットワーク装置が前記第１ネットワーク装置に通知することを示すための購読通知を前記第２ネットワーク装置に送信することと、
前記第２情報は前記端末装置が前記第２システムに登録していることを示すことにより、前記端末装置の現在のモードが二重登録モードであることを示すことと、を含む。
【００１３】
第１態様又は上記いずれか１つの可能な実現方式を参照して、第１態様の他の可能な実現方式では、前記第１ネットワーク装置が前記第２ネットワーク装置に購読通知を送信することは、
前記端末装置が二重登録モードをサポートすることを決定した場合、前記第１ネットワーク装置が前記第２ネットワーク装置に前記購読通知を送信することを含む。
【００１４】
第１態様又は上記いずれか１つの可能な実現方式を参照して、第１態様の他の可能な実現方式では、前記第２ネットワーク装置は統合データ管理（ＵＤＭ）＋ホーム加入者サーバ（ＨＳＳ）のネットワーク要素である。
【００１５】
第１態様又は上記いずれか１つの可能な実現方式を参照して、第１態様の他の可能な実現方式では、前記方法は更に、
前記第１ネットワーク装置は前記第１システムの第３ネットワーク装置から送信された、前記端末装置の現在の前記第２システムへの登録状況を示すための第３情報を受信することを含み、
第１システムにおける第１ネットワーク装置が端末装置の現在の登録モード及び／又はサポートする登録モードを決定することは、
前記第１ネットワーク装置が前記端末装置の現在の前記第２システムへの登録状況に応じて、前記端末装置の現在の登録モードを決定することを含む。
【００１６】
第１態様又は上記いずれか１つの可能な実現方式を参照して、第１態様の他の可能な実現方式では、前記第１ネットワーク装置が前記第１システムにおけるアクセスネットワーク装置であり、前記第３ネットワーク装置が前記第１システムにおけるコアネットワーク装置であり、
前記第３情報はハンドオーバ要求拒絶メッセージにおける原因値であって、前記端末装置が現在前記第２システムに登録していることを示すことに用いられる。
【００１７】
第１態様又は上記いずれか１つの可能な実現方式を参照して、第１態様の他の可能な実現方式では、前記方法は更に、
前記第３ネットワーク装置がＮ２６インターフェースを介して前記第２システムのコアネットワーク装置にリロケーション要求を送信するために、前記第１ネットワーク装置が前記第３ネットワーク装置にハンドオーバ要求を送信することを含む。
【００１８】
第１態様又は上記いずれか１つの可能な実現方式を参照して、第１態様の他の可能な実現方式では、前記端末装置の現在の登録モードが単重登録モードである場合、前記実行すべきプロセスはハンドオーバプロセス又はリダイレクションプロセスである。
【００１９】
第１態様又は上記いずれか１つの可能な実現方式を参照して、第１態様の他の可能な実現方式では、前記端末装置が現在前記第１セルと接続状態を維持し、且つ前記第１システムと前記第２システムとの間にＮ２６インターフェースをサポートする場合、前記実行すべきプロセスがハンドオーバプロセスであり、又は、
前記端末装置が現在前記第１セルと接続状態を維持し、且つ前記第１システムがＮ２６インターフェースのある相互運用をサポートする場合、前記実行すべきプロセスがハンドオーバプロセスである。
【００２０】
第１態様又は上記いずれか１つの可能な実現方式を参照して、第１態様の他の可能な実現方式では、前記端末装置が現在前記第１セルと接続状態を維持し、前記第１端末装置がＮ２６インターフェースをサポートしない場合、前記実行すべきプロセスがリダイレクションプロセスであり、又は、
前記端末装置が現在前記第１セルと接続状態を維持し、且つ前記第１システムがＮ２６インターフェースのない相互運用をサポートする場合、前記実行すべきプロセスがリダイレクションプロセスである。
【００２１】
第１態様又は上記いずれか１つの可能な実現方式を参照して、第１態様の他の可能な実現方式では、前記端末装置はネットワーク側から送信された、ネットワーク側がＮ２６インターフェースのないハンドオーバをサポートすることを示すための指示情報を識別する場合、前記端末装置はトリガーされたリダイレクションプロセスを実行した後、前記ネットワーク側にアタッチ要求メッセージを送信し、又は、
前記端末装置はネットワーク側から送信された、ネットワーク側がＮ２６インターフェースのないハンドオーバをサポートすることを示すための指示情報を識別せず又は受信していない場合、前記端末装置はトリガーされたリダイレクションプロセスを実行した後、位置更新（ＴＡＵ）要求メッセージを送信する。
【００２２】
第１態様又は上記いずれか１つの可能な実現方式を参照して、第１態様の他の可能な実現方式では、前記端末装置の現在の登録モードが単重登録モードであって、前記端末装置のサポートする登録モードが二重登録モードである場合、前記実行すべきプロセスは前記第１セルとの接続を維持しながら前記第２セルにアクセスするプロセスである。
【００２３】
第１態様又は上記いずれか１つの可能な実現方式を参照して、第１態様の他の可能な実現方式では、前記端末装置の現在の登録モードが二重登録モードである場合、前記実行すべきプロセスはリダイレクションプロセスである。
【００２４】
第１態様又は上記いずれか１つの可能な実現方式を参照して、第１態様の他の可能な実現方式では、前記端末装置はトリガーされたリダイレクションプロセスを実行した後、前記ネットワーク側にアタッチ要求メッセージを送信する。
【００２５】
第１態様又は上記いずれか１つの可能な実現方式を参照して、第１態様の他の可能な実現方式では、前記第１システムと前記第２システムとはＮ２６インターフェースをサポートする。
【００２６】
第１態様又は上記いずれか１つの可能な実現方式を参照して、第１態様の他の可能な実現方式では、前記第１システムがＮ２６インターフェースのある相互運用をサポートする場合、前記実行すべきプロセスはハンドオーバプロセスである。
【００２７】
第１態様又は上記いずれか１つの可能な実現方式を参照して、第１態様の他の可能な実現方式では、前記第１システムがＮ２６インターフェースのない相互運用をサポートし及び／又は前記端末装置の現在の登録モードが二重登録モードである場合、前記実行すべきプロセスはリダイレクションプロセスである。
【００２８】
第１態様又は上記いずれか１つの可能な実現方式を参照して、第１態様の他の可能な実現方式では、前記第１ネットワーク装置はコアネットワーク装置である。
【００２９】
第１態様又は上記いずれか１つの可能な実現方式を参照して、第１態様の他の可能な実現方式では、前記方法は更に、
前記コアネットワーク装置は前記第１システムにおけるアクセスネットワーク装置のトリガーした、前記端末装置の現在アクセス中のセルをハンドオーバするように要求するためのハンドオーバ要求を受信することを含み、
前記第１ネットワーク装置が前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することは、
ハンドオーバプロセスに応答して、前記コアネットワーク装置は前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することを含む。
【００３０】
第１態様又は上記いずれか１つの可能な実現方式を参照して、第１態様の他の可能な実現方式では、前記方法は更に、
前記コアネットワーク装置は前記端末装置が前記第２セルにアクセスしてハンドオーバプロセスを実行できないことを決定した場合、前記コアネットワーク装置が前記アクセスネットワーク装置にハンドオーバ拒絶メッセージを送信することを含む。
【００３１】
第１態様又は上記いずれか１つの可能な実現方式を参照して、第１態様の他の可能な実現方式では、前記ハンドオーバ拒絶メッセージには前記端末装置の現在の登録モード、サポートする登録モード又は実行すべきプロセスが含まれる。
【００３２】
第１態様又は上記いずれか１つの可能な実現方式を参照して、第１態様の他の可能な実現方式では、前記ハンドオーバ拒絶メッセージには前記ハンドオーバ要求メッセージを拒絶する原因値が含まれる。
【００３３】
第１態様又は上記いずれか１つの可能な実現方式を参照して、第１態様の他の可能な実現方式では、前記第１ネットワーク装置はアクセスネットワーク装置である。
【００３４】
第１態様又は上記いずれか１つの可能な実現方式を参照して、第１態様の他の可能な実現方式では、前記方法は更に、
前記実行すべきプロセスがハンドオーバプロセスである場合、前記アクセスネットワーク装置は前記第１システムのコアネットワーク装置に対してハンドオーバ要求メッセージをトリガーすることと、
前記実行すべきプロセスがアタッチプロセス又はリダイレクションプロセスである場合、前記アクセスネットワーク装置は前記端末装置に対して、前記第１セルとの接続を維持しながら前記第２セルにアクセスするプロセス又はリダイレクションプロセスをトリガーすることと、を含む。
【００３５】
第１態様又は上記いずれか１つの可能な実現方式を参照して、第１態様の他の可能な実現方式では、前記方法は更に、
前記アクセスネットワーク装置がコアネットワーク装置にハンドオーバ要求メッセージを送信することと、
前記アクセスネットワーク装置がハンドオーバ拒絶メッセージを受信し、前記ハンドオーバ拒絶メッセージには、前記第１システムがＮ２６インターフェースのない相互運用をサポートし及び／又は前記端末が二重登録モードにあることを示すための指示情報が含まれることと、を含む。
【００３６】
第１態様又は上記いずれか１つの可能な実現方式を参照して、第１態様の他の可能な実現方式では、前記第１システムのＮ２６インターフェースのある又はＮ２６インターフェースのない相互運用へのサポート状況は、前記アクセスネットワーク装置がプリセット情報に基づいて決定したものである。
【００３７】
第１態様又は上記いずれか１つの可能な実現方式を参照して、第１態様の他の可能な実現方式では、前記プリセット情報は前記第１システムのコアネットワーク装置から送信されたＮ２メッセージからのものである。
【００３８】
第１態様又は上記いずれか１つの可能な実現方式を参照して、第１態様の他の可能な実現方式では、前記プリセット情報は前記第１システムのコアネットワーク装置が前記端末又は他の端末の登録メッセージに対して返信したメッセージからのものである。
【００３９】
第１態様又は上記いずれか１つの可能な実現方式を参照して、第１態様の他の可能な実現方式では、前記プリセット情報は少なくとも１つの公衆陸上移動網（ＰＬＭＮ）に対応するシステムのＮ２６インターフェースのある又はＮ２６インターフェースのない相互運用へのサポート状況を含む。
【００４０】
第１態様又は上記いずれか１つの可能な実現方式を参照して、第１態様の他の可能な実現方式では、前記第１システムが５Ｇシステムであり、前記第２システムがロングタームエボリューション（ＬＴＥ）システムであり、又は、
前記第１システムがロングタームエボリューション（ＬＴＥ）システムであり、前記第２システムが５Ｇシステムである。
【００４１】
第２態様では無線通信方法を提供し、
第２ネットワーク装置は端末装置の現在の登録モード、サポートする登録モード、前記第１システムのＮ２６インターフェースのある又はＮ２６インターフェースのない相互運用へのサポート状況、少なくとも１つの公衆陸上移動網（ＰＬＭＮ）に対応するシステムのＮ２６インターフェースのある又はＮ２６インターフェースのない相互運用へのサポート状況及び前記端末装置の現在の第２システムへの登録状況のうちの少なくとも１つを決定することと、
前記第２ネットワーク装置は前記端末装置の現在の登録モード、サポートする登録モード、前記第１システムのＮ２６インターフェースのある又はＮ２６インターフェースのない相互運用へのサポート状況、少なくとも１つの公衆陸上移動網（ＰＬＭＮ）に対応するシステムのＮ２６インターフェースのある又はＮ２６インターフェースのない相互運用へのサポート状況及び前記端末装置の現在の第２システムへの登録状況のうちの少なくとも１つを示すための指示情報を第１システムにおける第１ネットワーク装置に送信することと、を含む。
【００４２】
第２態様を参照して、第２態様の可能な実現方式では、前記第２ネットワーク装置が端末装置の現在の登録モード、サポートする登録モード及び前記端末装置の現在の第２システムへの登録状況のうちの少なくとも１つを決定することは、
前記第２ネットワーク装置は前記端末装置から送信された登録メッセージ又は位置更新メッセージに基づいて、前記端末装置の現在の登録モード、サポートする登録モード及び前記端末装置の現在の第２システムへの登録状況のうちの少なくとも１つを決定することを含む。
【００４３】
第２態様又は上記いずれか１つの可能な実現方式を参照して、第２態様の他の可能な実現方式では、前記方法は更に、
前記第２ネットワーク装置は前記第１ネットワーク装置から送信された、前記端末装置が第２システムに登録した後に前記第２ネットワーク装置が前記第１ネットワーク装置に通知することを示すための購読通知を受信し、前記端末装置が前記第１システムに登録していることと、
前記指示情報は前記端末装置が前記第２システムに登録していることを示すことにより、前記端末装置の現在のモードが二重登録モードであることを示すことと、を含む。
【００４４】
第２態様又は上記いずれか１つの可能な実現方式を参照して、第２態様の他の可能な実現方式では、前記第２ネットワーク装置は統合データ管理（ＵＤＭ）＋ホーム加入者サーバ（ＨＳＳ）のネットワーク要素である。
【００４５】
第２態様又は上記いずれか１つの可能な実現方式を参照して、第２態様の他の可能な実現方式では、前記第２ネットワーク装置が前記第２システムにおけるコアネットワーク装置であり、前記第１ネットワーク装置が前記第１システムのコアネットワーク装置であり、
前記指示情報は前記端末装置が前記第２システムに登録しており又は前記第２システムから登録を解除したことを示すことに用いられる。
【００４６】
前記第２ネットワーク装置は統合データ管理（ＵＤＭ）＋ホーム加入者サーバ（ＨＳＳ）のネットワーク要素である。
【００４７】
第２態様又は上記いずれか１つの可能な実現方式を参照して、第２態様の他の可能な実現方式では、前記第２ネットワーク装置は前記第１システムにおけるコアネットワーク装置であり、前記第１ネットワーク装置は前記第１システムのアクセスネットワーク装置である。
【００４８】
前記第２ネットワーク装置は統合データ管理（ＵＤＭ）＋ホーム加入者サーバ（ＨＳＳ）のネットワーク要素である。
【００４９】
第２態様又は上記いずれか１つの可能な実現方式を参照して、第２態様の他の可能な実現方式では、前記方法は更に、
前記第２ネットワーク装置は前記第２システムのコアネットワーク装置から送信された、前記端末装置の現在の第２システムへの登録状況を示すための情報を受信することを含む。
【００５０】
第２態様又は上記いずれか１つの可能な実現方式を参照して、第２態様の他の可能な実現方式では、前記第２ネットワーク装置は前記第１ネットワーク装置から送信されたハンドオーバ要求メッセージを受信し、
前記第１システムがＮ２６インターフェースのない相互運用をサポートし、及び／又は前記端末が二重登録モードにある場合、前記第２ネットワーク装置は前記第１ネットワーク装置にハンドオーバ拒絶メッセージを送信し、前記第１指示情報は前記ハンドオーバ拒絶メッセージに含まれ、前記第１指示情報は前記第１システムがＮ２６インターフェースのない相互運用をサポートし及び／又は前記端末が二重登録モードにあることを示すことに用いられる。
【００５１】
第３態様では無線通信方法を提供し、
端末装置は前記端末装置の現在の登録モード及び／又はサポートする登録モードを示すための指示情報を生成することと、
前記端末装置は前記端末装置の現在の登録モード及び／又はサポートする登録モードを示すための前記指示情報をネットワーク装置に送信することと、を含む。
【００５２】
第３態様を参照して、第３態様の可能な実現方式では、前記第１情報は登録メッセージ又は位置更新メッセージに含まれる。
【００５３】
第４態様では無線通信方法を提供し、
端末装置はネットワーク装置から送信された、少なくとも１つの公衆陸上移動網（ＰＬＭＮ）に対応するシステムのＮ２６インターフェースのある又はＮ２６インターフェースのない相互運用へのサポート状況を示すための指示情報を受信することと、
少なくとも１つのＰＬＭＮに対応するシステムのＮ２６インターフェースのある又はＮ２６インターフェースのない相互運用へのサポート状況に応じて、アクセスのためのＰＬＭＮを選択することと、を含む。
【００５４】
第５態様では無線通信方法を提供し、
ネットワーク装置は少なくとも１つの公衆陸上移動網（ＰＬＭＮ）に対応するシステムのＮ２６インターフェースのある又はＮ２６インターフェースのない相互運用へのサポート状況を取得することと、
前記ネットワーク装置は少なくとも１つのＰＬＭＮに対応するシステムのＮ２６インターフェースのある又はＮ２６インターフェースのない相互運用へのサポート状況を示すための指示情報を端末装置に送信することと、を含む。
【００５５】
第６態様では無線通信方法を提供し、
アクセスネットワーク装置は端末に対するハンドオーバ要求メッセージをソースコアネットワーク装置に送信することと、
前記アクセスネットワーク装置は前記コアネットワーク装置から送信されたハンドオーバ拒絶メッセージを受信することと、
前記ハンドオーバ拒絶メッセージに応答して、前記アクセスネットワーク装置は前記端末に対して無線リソース制御（ＲＲＣ）リダイレクション動作をトリガーすることと、を含む。
【００５６】
第７態様では無線通信装置を提供し、上記いずれか１つの態様又はそのいずれか１つの可能な実現方式における方法を実行することに用いられる。具体的に、該装置は上記第１態様又は第１態様のいずれか１つの可能な実現方式における方法を実行するためのユニットを備える。
【００５７】
第８態様では無線通信装置を提供し、メモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記いずれか１つの態様又はそのいずれか１つの可能な実現方式における方法を実行することに用いられる。
【００５８】
第９態様ではコンピュータ記憶媒体を提供し、上記いずれか１つの態様又はそのいずれか１つの可能な実現方式における方法を実行するために用いたコンピュータソフトウェア命令を記憶することに用いられ、上記態様を実行するために設計したプログラムを含む。
【００５９】
第１０態様では命令を含むコンピュータプログラム製品を提供し、コンピュータにおいて実行されるとき、コンピュータが上記いずれか１つの態様又はそのいずれか１つの可能な実現方式における方法を実行する。
【図面の簡単な説明】
【００６０】
【図１】図１は本願の実施例に係る無線通信システムの模式図である。
【図２】図２は本願の実施例に係る無線通信方法の模式的なフローチャートである。
【図３】図３は本願の実施例に係る無線通信方法の模式的なフローチャートである。
【図４】図４は本願の実施例に係る無線通信方法の模式的なフローチャートである。
【図５】図５は本願の実施例に係る無線通信方法の模式的なフローチャートである。
【図６】図６は本願の実施例に係るＮＧ−ＲＡＮと複数の通信事業者との５ＧＣによる接続を示す模式図。
【図７】図７は本願の実施例に係る無線通信方法の模式的なフローチャートである。
【図８】図８は本願の実施例に係る無線通信方法の模式的なフローチャートである。
【図９】図９は本願の実施例に係る無線通信方法の模式的なフローチャートである。
【図１０】図１０は本願の実施例に係る無線通信方法の模式的なフローチャートである。
【図１１】図１１は本願の実施例に係る無線通信方法の模式的なフローチャートである。
【図１２】図１２は本願の実施例に係る無線通信方法の模式的なフローチャートである。
【図１３】図１３は本願の実施例に係る無線通信方法の模式的なフローチャートである。
【図１４】図１４は本願の実施例に係るネットワーク装置の模式的なブロック図である。
【図１５】図１５は本願の実施例に係るネットワーク装置の模式的なブロック図である。
【図１６】図１６は本願の実施例に係る端末装置の模式的なブロック図である。
【図１７】図１７は本願の実施例に係る端末装置の模式的なブロック図である。
【図１８】図１８は本願の実施例に係るネットワーク装置の模式的なブロック図である。
【図１９】図１９は本願の実施例に係るアクセスネットワーク装置の模式的なブロック図である。
【図２０】図２０は本願の実施例に係るシステムチップの模式的なブロック図である。
【図２１】図２１は本願の実施例に係る通信装置の模式的なブロック図である。
【発明を実施するための形態】
【００６１】
以下、本願の実施例の図面を参照しながら本願の実施例の技術案を明確で完全に説明する。
【００６２】
本願の実施例の技術案は５Ｇ  ＮＲ通信システムに適用されてもよい。
【００６３】
図１は本願の実施例に適用される無線通信システム１００を示す。該無線通信システム１００はアクセスネットワーク装置１２０及びアクセスネットワーク装置１３０を備えてもよい。アクセスネットワーク装置１２０及びアクセスネットワーク装置１３０は端末装置１１０と通信する装置であってもよい。以下、アクセスネットワーク装置１２０を例として説明し、アクセスネットワーク装置１２０は特定の地理的領域に通信カバレッジを提供することができ、且つ該カバレッジ領域内での端末装置（例えば、ＵＥ）と通信することができる。
【００６４】
選択肢として、該アクセスネットワーク装置１２０はＬＴＥシステムにおける進化型基地局（ｅＮＢ又はｅＮｏｄｅＢ、Ｅｖｏｌｕｔｉｏｎａｌ  ＮｏｄｅＢ）、例えば進化型ユニバーサル地上無線アクセスネットワーク（Ｅ−ＵＴＲＡＮ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）装置であってもよい。
【００６５】
選択肢として、該アクセスネットワーク装置１３０は次世代無線アクセスネットワーク（ＮＧ  ＲＡＮ、Ｎｅｘｔ  Ｇｅｎｅｒａｔｉｏｎ  Ｒａｄｉｏ  Ａｃｃｅｓｓ  Ｎｅｔｗｏｒｋ）であってもよく、又はＮＲシステムにおける基地局（ｇＮＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該アクセスネットワーク装置は中継局、アクセスポイント、車載装置、ウェアラブル端末、又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００６６】
該無線通信システム１００は更にアクセスネットワーク装置１２０及びアクセスネットワーク装置１３０のカバレッジ範囲内での少なくとも１つの端末装置１１０を備える。端末装置１１０は可動又は固定であってもよい。選択肢として、端末装置１１０とはアクセス端末、ユーザー装置（ＵＥ、Ｕｓｅｒ  Ｅｑｕｉｐｍｅｎｔ）、ユーザーユニット、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、５Ｇネットワークにおける端末装置又は将来発展するＰＬＭＮにおける端末装置等であってもよい。
【００６７】
該無線通信システム１００は更にアクセスネットワーク装置１２０と通信するコアネットワーク装置１４０、及びアクセスネットワーク装置１３０と通信するコアネットワーク装置１５０を備える。選択肢として、該コアネットワーク装置１４０はＬＴＥネットワークの進化型パケットコアネットワーク（ＥＰＣ、Ｅｖｏｌｖｅｄ  Ｐａｃｋｅｔ  Ｃｏｒｅ）装置、例えばコアネットワーク側のパケットゲートウェイ＋セッション管理機能（ＰＧＷ−Ｃ＋ＳＭＦ、Ｃｏｒｅ  Ｐａｃｋｅｔ  Ｇａｔｅｗａｙ＋Ｓｅｓｓｉｏｎ  Ｍａｎａｇｅｍｅｎｔ  Ｆｕｎｃｔｉｏｎ）装置であってもよい。選択肢として、該コアネットワーク装置１５０は５ＧＣ装置、例えば接続及び移動性管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）、更に例えば、セッション管理機能（ＳＭＦ、Ｓｅｓｓｉｏｎ  Ｍａｎａｇｅｍｅｎｔ  Ｆｕｎｃｔｉｏｎ）を有するものであってもよい。
【００６８】
該コアネットワーク装置１４０とコアネットワーク装置１５０との間にはＮ２６インターフェースを介して通信してもよい。
【００６９】
選択肢として、端末装置１１０が５Ｇネットワークから４Ｇネットワークに移動し、且つコアネットワーク装置１４０とコアネットワーク装置１５０との間にＮ２６インターフェースがある場合、Ｎ２６インターフェースを介してシステム間ハンドオーバを実現することができる。
【００７０】
選択肢として、端末装置１１０が５Ｇネットワークから４Ｇネットワークに移動し、且つコアネットワーク装置１４０とコアネットワーク装置１５０との間にＮ２６インターフェースがない場合、ハンドオーバ識別子を含むＡｔｔａｃｈプロセスによってシステム間ハンドオーバを実現することができる。
【００７１】
選択肢として、本願の実施例では、ＡＭＦはＳＭＦと情報交換を行い、例えば、ＳＭＦはＡＭＦからいくつかの無線アクセスネットワーク側の情報を取得してもよい。
【００７２】
図１は２つのアクセスネットワーク装置、２つのコアネットワーク装置及び１つの端末装置を例示し、選択肢として、該無線通信システム１００は複数のアクセスネットワーク装置を備えてもよく、且つ各アクセスネットワーク装置のカバレッジ範囲内には他の数の端末装置が含まれてもよく、本願の実施例は制限しない。
【００７３】
選択肢として、該無線通信システム１００は更にモビリティ管理エンティティ（ＭＭＥ、Ｍｏｂｉｌｅ  Ｍａｎａｇｅｍｅｎｔ  Ｅｎｔｉｔｙ）、統合データ管理（ＵＤＭ、Ｕｎｉｆｉｅｄ  Ｄａｔａ  Ｍａｎａｇｅｍｅｎｔ）、認証サーバ機能（ＡＵＳＦ、Ａｕｔｈｅｎｔｉｃａｔｉｏｎ  Ｓｅｒｖｅｒ  Ｆｕｎｃｔｉｏｎ）、ユーザープレーン機能（ＵＰＦ、Ｕｓｅｒ  Ｐｌａｎｅ  Ｆｕｎｃｔｉｏｎ）、シグナリングゲートウェイ（ＳＧＷ、Ｓｉｇｎａｌｉｎｇ  Ｇａｔｅｗａｙ）、ホーム加入者サーバ＋統合データ管理（ＨＳＳ＋ＵＤＭ、Ｈｏｍｅ  Ｓｕｂｓｃｒｉｂｅｒ  Ｓｅｒｖｅｒ  Ｕｎｉｆｉｅｄ  Ｄａｔａ  Ｍａｎａｇｅｍｅｎｔ）、ＰＧＷ−Ｕ等の他のネットワークエンティティを備えてもよく、本願の実施例は制限しない。
【００７４】
理解されるように、ＳＭＦ＋ＰＧＷ−ＣはＳＭＦ及びＰＧＷ−Ｃの実現できる機能を同時に実現することができるが、ＨＳＳ＋ＵＤＭはＨＳＳ及びＵＤＭの実現できる機能を同時に実現することができる。
【００７５】
理解されるように、本明細書では、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」はＡが独立して存在すること、ＡとＢが同時に存在すること、Ｂが独立して存在することの３つの状況を示してもよい。また、本明細書における文字「／」は一般的に前後関連オブジェクトが「又は」関係であることを示す。
【００７６】
図２は本願の実施例に係る無線通信方法２００の模式的なフローチャートである。該方法２００は以下の内容の少なくとも一部を含む。
【００７７】
２１０において、第１システムにおける第１ネットワーク装置は端末装置の現在の登録モード及び／又はサポートする登録モード、及び／又は前記第１システムのＮ２６インターフェースのある又はＮ２６インターフェースのない相互運用へのサポート状況を決定し、該登録モードはシングルシステムに登録する単重登録（ＳＲ、ｓｉｎｇｌｅ  ｒｅｇｉｓｔｒａｔｉｏｎ）モード又はデュアルシステムに登録する二重登録（ＤＲ、ｄｏｕｂｌｅ  ｒｅｇｉｓｔｒａｔｉｏｎ）モードであり、該端末装置は現在該第１システムにおける第１セルにアクセスしている。選択肢として、本願の実施例では、第１システム及び第２システムは異なる通信プロトコルバージョンでのシステムであってもよい。
【００７８】
例えば、第１システムは５Ｇシステム、第２システムは４Ｇシステムであってもよく、又は、第１システムは４Ｇシステム、第２システムは５Ｇシステムであってもよい。
【００７９】
選択肢として、該第１ネットワーク装置はコアネットワーク装置、例えば４ＧシステムにおけるＭＭＥ又は５ＧシステムにおけるＡＭＦ等であってもよく、アクセスネットワーク装置、例えば４ＧにおけるＥ−ＵＴＲＡＮ又は５ＧにおけるＲＡＮ等であってもよい。
【００８０】
以下、第１ネットワーク装置がどのように端末装置の現在の登録モード及び／又はサポートする登録モードを決定するかについて説明する。
【００８１】
一実現方式では、該第１ネットワーク装置は該端末装置から送信された、該端末装置の現在の登録モード及び／又はサポートする登録モードを示すための第１情報を受信する。
【００８２】
選択肢として、該第１情報は登録メッセージ又は位置更新メッセージに含まれる。
【００８３】
端末装置は登録過程において登録モードのサポート状況及び端末装置の位置する登録モードを追加してもよい。
【００８４】
例えば、図３に示すように、５０１では、端末装置は登録要求に登録モードのサポート状況及び端末装置の位置する登録モードを含めて、該登録要求を無線アクセスネットワーク（ＲＡＮ、Ｒａｄｉｏ  Ａｃｃｅｓｓ  Ｎｅｔｗｏｒｋ）に送信してもよい。５０２では、ＲＡＮはＡＭＦを選択して、該登録要求を宛先ＡＭＦに送信してもよく、これにより、宛先ＡＭＦは端末装置の登録モードのサポート状況及び端末装置の位置する登録モードを把握することができる。
【００８５】
端末装置の登録モードが変化する場合、登録モードの変化をネットワーク側に通知するよう、端末装置は位置更新メッセージをトリガーしてもよい。
【００８６】
具体的に、端末装置は第１ネットワーク装置に送信する登録メッセージ又は位置更新メッセージにおいて、端末装置の現在の登録モード及び／又はサポートする登録モードを示してもよく、端末装置は他のシステムに登録しているかどうか又は第１システムが端末装置の現在登録中の何番目のシステムであるかを示すことにより、端末装置の現在の登録モードを示してもよい。例えば、端末装置が他のシステムに登録しており又は第１システムが端末装置の登録中の２番目のシステムである場合、端末装置の現在の登録モードは二重登録モードであり、又は、端末装置が他のシステムに登録しておらず又は第１システムが端末の登録中の１番目のシステムである場合、端末装置の現在の登録モードは単重登録モードである。
【００８７】
一実現方式では、該第１ネットワーク装置は第２ネットワーク装置から送信された、該端末装置の現在の登録モードを示すための第２情報を受信する。
【００８８】
選択肢として、該端末装置が該第１セルにアクセスした後、該第１ネットワーク装置は該端末装置が該第２システムに登録した後に該第２ネットワーク装置が該第１ネットワーク装置に通知することを示すための購読通知を該第２ネットワーク装置に送信し、該第２情報は該端末装置が該第２システムに登録していることを示すことにより、該端末装置の現在のモードが二重登録モードであることを示す。
【００８９】
理解されるように、本願の実施例では、購読通知は端末装置の登録モードが変化し、例えば単重登録モードから二重登録モードになり、又は、二重登録モードから単重登録モードになる場合に第１ネットワーク装置に通知することを示してもよい。これにより、第２ネットワーク装置は端末装置の登録モードが変化した場合、端末装置の現在の登録モードを示すための第２情報を送信してもよい。
【００９０】
選択肢として、該端末装置が二重登録モードをサポートすることを決定した場合、該第１ネットワーク装置は該第２ネットワーク装置に該購読通知を送信する。
【００９１】
具体的に、端末装置は初期登録時に二重登録モードをサポートしないことを報告すれば、ネットワーク側は後のトリガーすべきプロセスにおいてこのパラメータを検出してもよく、そうすると端末装置又は第２ネットワーク装置は端末装置の登録モードの変化を第１ネットワーク装置に通知する必要がない。
【００９２】
選択肢として、該第２ネットワーク装置は統一データ管理プラットフォーム（ＵＤＭ、Ｕｎｉｔｅｄ  Ｄａｔｅ  Ｍａｎａｇｅｍｅｎｔ）＋ホーム加入者サーバ（ＨＳＳ、Ｈｏｍｅ  Ｓｕｂｓｃｒｉｂｅｒ  Ｓｅｒｖｅｒ）のネットワーク要素である。
【００９３】
一実現方式では、前記第１ネットワーク装置は前記第１システムの第３ネットワーク装置から送信された、前記端末装置の現在の前記第２システムへの登録状況を示すための第３情報を受信し、
前記第１ネットワーク装置は前記端末装置の現在の前記第２システムへの登録状況に応じて、前記端末装置の現在の登録モードを決定する。
【００９４】
この場合、前記第１ネットワーク装置は前記第１システムにおけるアクセスネットワーク装置であり、前記第３ネットワーク装置は前記第１システムのコアネットワーク装置である。例えば、第１ネットワーク装置は５Ｇシステムにおけるアクセスネットワーク装置であり、第３ネットワーク装置は５ＧシステムにおけるＡＭＦであり、又は、第１ネットワーク装置は４Ｇシステムにおけるアクセスネットワーク装置であり、第３ネットワーク装置は４ＧシステムにおけるＭＭＥである。
【００９５】
選択肢として、前記第３情報はハンドオーバ要求拒絶メッセージにおける原因値であって、前記端末装置が現在前記第２システムに登録していることを示すことに用いられる。
【００９６】
選択肢として、前記第３ネットワーク装置がＮ２６インターフェースを介して前記第２システムのコアネットワーク装置にリロケーション要求を送信するために、前記第１ネットワーク装置は前記第３ネットワーク装置にハンドオーバ要求を送信する。
【００９７】
例えば、５Ｇシステムにおいて、ＵＥが登録を完了した後にＮＧ−ＲＡＮは常に該ＵＥをＳＲモードとして処理し、即ち、Ｎ２６インターフェースをサポートする際にハンドオーバする必要がある場合、通常通りにハンドオーバ要求（Ｈａｎｄｏｖｅｒ  Ｒｅｑｕｉｒｅｄ）メッセージをＡＭＦに送って、ＡＭＦはＭＭＥにリロケーション要求（Ｒｅｌｏｃａｔｉｏｎ  ｒｅｑｕｅｓｔ）を送信し続ける（図４における３０４に示される）。この時、該ＵＥが４Ｇシステムに登録していれば、ＭＭＥにも該ＵＥのコンテキストがあるため、ＭＭＥは図４における後続プロセスを実行できず、このため、該リロケーション要求を拒絶して、「該ＵＥが登録しているため拒絶する」を示す原因値を含む拒絶メッセージをＡＭＦに送信することとなり、ＡＭＦは拒絶メッセージをＮＧ−ＲＡＮに送信し、ＮＧ−ＲＡＮは該拒絶メッセージ及び原因値に基づいてＲＲＣリダイレクション過程をトリガーする。
【００９８】
例えば、５Ｇシステムにおいて、ＵＥが５ＧＣに登録した後、ＥＰＣへの登録に成功する場合、ＥＰＣシステムＭＭＥはＮ２６インターフェースを介して該ＵＥが該システムに登録している（即ちＤＲモードにある）ことを相手端ＡＭＦに通知することとなる。それに類似して、ＵＥがＥＰＣシステムから登録を解除した後、ＭＭＥは同様にＮ２６インターフェースを介して該ＵＥが登録を解除したことを相手端ＡＭＦに通知することができる。
【００９９】
この方式において、ＡＭＦはＵＥがＥＰＣに登録しているメッセージを受信した後、Ｎ２インターフェースを介してＮＧ−ＲＡＮに予め通知してもよく、ＮＧ−ＲＡＮがハンドオーバ要求をトリガーする際に拒絶メッセージによってＮＧ−ＲＡＮに通知してもよい。
【０１００】
以上は第１システムが４Ｇシステム、第２システムが５Ｇシステムである場合を例として説明したが、本願の実施例はこれに限らず、第１システムは５Ｇシステム、第２システムは４Ｇシステムであってもよい。
【０１０１】
２２０において、該第１ネットワーク装置は該端末装置の現在の登録モード及び／又はサポートする登録モード、及び／又は前記第１システムのＮ２６インターフェースのある又はＮ２６インターフェースのない相互運用へのサポート状況に応じて、該端末装置が第２システムにおける第２セルにアクセスするために実行すべき又は実行できないプロセスを決定する。
【０１０２】
選択肢として、該プロセスはリダイレクションプロセス、ハンドオーバプロセス又は第１セルとの接続を維持しながら第２セルにアクセスするものであってもよい。
【０１０３】
選択肢として、ここで言及したリダイレクションプロセスは第１セルとの接続を解除して第２セルとの接続を確立するものであってもよい。
【０１０４】
一実現方式では、前記第１システムがＮ２６インターフェースのある相互運用をサポートする場合、前記実行すべきプロセスはハンドオーバプロセスである。
【０１０５】
一実現方式では、前記第１システムがＮ２６インターフェースのない相互運用をサポートし、及び／又は前記端末装置の現在の登録モードが二重登録モードである場合、前記実行すべきプロセスはリダイレクションプロセスである。
【０１０６】
一実現方式では、該端末装置の現在の登録モードが単重登録モードである場合、該第１ネットワーク装置の決定した端末装置の実行すべき該プロセスはハンドオーバプロセス又はリダイレクションプロセスである。
【０１０７】
選択肢として、該端末装置の現在の登録モードが単重登録モードであって、該端末装置が現在該第１セルと接続状態を維持して、該第１システムと該第２システムとの間にＮ２６インターフェースをサポートする場合、該実行すべきプロセスはハンドオーバプロセスである。
【０１０８】
又は、該端末装置の現在の登録モードが単重登録モードであって、該端末装置が現在該第１セルと接続状態を維持して、該第１システムがＮ２６インターフェースのある相互運用をサポートする場合、該実行すべきプロセスはハンドオーバプロセスである。
【０１０９】
以下に図４を参照しながらハンドオーバプロセスを説明し、図４に示されるハンドオーバプロセスは５Ｇシステムから４Ｇシステムにハンドオーバするが、理解されるように、本願の実施例はこれに限らず、本願の実施例のハンドオーバは５Ｇシステムから４Ｇシステムへのハンドオーバであってもよい。
【０１１０】
３０１において、５Ｇシステム（５ＧＳ、５Ｇ  ｓｙｓｔｅｍ）においてプロトコルデータユニット（ＰＤＵ、Ｐｒｏｔｏｃｏｌ  Ｄａｔａ  Ｕｎｉｔ）セッション及びサービス品質（ＱｏＳ、Ｑｕａｌｉｔｙ  ｏｆ  Ｓｅｒｖｉｃｅ）フローを確立する。
【０１１１】
３０２において、次世代無線アクセスネットワーク（ＮＧ−ＲＡＮ、Ｎｅｘｔ  Ｇｅｎｅｒａｔｉｏｎ  Ｒａｄｉｏ  Ａｃｃｅｓｓ  Ｎｅｔｗｏｒｋ）ＮＧ−ＲＡＮはＡＭＦにハンドオーバ要求（Ｈａｎｄｏｖｅｒ  ｒｅｑｕｉｒｅｄ）を送信する。
【０１１２】
３０３ａにおいて、ＡＭＦはＰＧＷ−Ｃ＋ＳＭＦにサービスメッセージ（ＳＭ、Ｓｅｒｖｉｃｅ  Ｍｅｓｓａｇｅ）コンテキスト要求（ＳＭ  Ｃｏｎｔｅｘｔ  Ｒｅｑｕｅｓｔ）を送信する。
【０１１３】
３０３ｂにおいて、ＰＧＷ−Ｃ＋ＳＭＦはＡＭＦにＳＭコンテキスト応答（ＳＭ  Ｃｏｎｔｅｘｔ  Ｒｅｓｐｏｎｓｅ）を送信する。
【０１１４】
３０４において、ＡＭＦはＭＭＥにリロケーション要求（Ｒｅｌｏｃａｔｉｏｎ  ｒｅｑｕｅｓｔ）を送信する。
【０１１５】
３０５において、ＭＭＥはＳＧＷにセッション生成要求（Ｃｒｅａｔｅ  ｓｅｓｓｉｏｎ  ｒｅｑｕｅｓｔ）を送信する。
【０１１６】
３０６において、ＳＧＷはＭＭＥにセッション生成応答（Ｃｒｅａｔｅ  ｓｅｓｓｉｏｎ  ｒｅｓｐｏｎｓｅ）を送信する。
【０１１７】
３０７において、ＭＭＥはＥ−ＵＴＲＡＮにハンドオーバ要求（Ｈａｎｄｏｖｅｒ  ｒｅｑｕｅｓｔ）を送信する。
【０１１８】
３０８において、Ｅ−ＵＴＲＡＮはＭＭＥにハンドオーバ要求確認（Ｈａｎｄｏｖｅｒ  ｒｅｑｕｅｓｔ  Ａｃｋ）を送信する。
【０１１９】
３０９において、ＭＭＥとＳＧＷとの間に間接的なデータ生成転送トンネル要求／応答（Ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔ／ｒｅｓｐｏｎｓｅ）を送信する。
【０１２０】
３１０において、ＭＭＥはＡＭＦにリロケーション応答（Ｒｅｌｏｃａｔｉｏｎ  ｒｅｓｐｏｎｓｅ）を送信する。
【０１２１】
３１１ａにおいて、ＡＭＦとＰＧＷ−Ｃ＋ＳＭＦとの間に間接的なデータ生成転送トンネル要求／応答（Ｃｒｅａｔｅ  ｉｎｄｉｒｅｃｔ  ｄａｔａ  ｆｏｒｗａｒｄｉｎｇ  ｔｕｎｎｅｌ  Ｒｅｑｕｅｓｔ／Ｒｅｓｐｏｎｓｅ）を送信する。
【０１２２】
３１１ｂにおいて、ＰＧＷ−Ｃ＋ＳＭＦとパケットゲートウェイユーザープレーン（ＰＧＷ−Ｕ、Ｐａｃｋｅｔ  Ｇａｔｅｗａｙ  Ｕｓｅｒ）＋ユーザープレーン機能（ＵＰＦ、Ｕｓｅｒ  Ｐｌａｎｅ  Ｆｕｎｃｔｉｏｎ）との間にＮ４セッション変更（Ｎ４  Ｓｅｓｓｉｏｎ  Ｍｏｄｉｆｉｃａｔｉｏｎ）を行う。
【０１２３】
３１２ａにおいて、ＡＭＦはＮＧ−ＲＡＮにハンドオーバコマンド（Ｈａｎｄｏｖｅｒ  ｃｏｍｍａｎｄ）を送信する。
【０１２４】
３１２ｂにおいて、Ｅ−ＵＴＲＡＮはＵＥにハンドオーバコマンド（Ｈａｎｄｏｖｅｒ  ｃｏｍｍａｎｄ）を送信する。
【０１２５】
３１３ａにおいて、ＵＥはＥ−ＵＴＲＡＮにハンドオーバ完了メッセージ（Ｈａｎｄｏｖｅｒ  Ｃｏｍｐｌｅｔｅ）を送信する。
【０１２６】
３１３ｂにおいて、Ｕ−ＵＴＲＡＮはＭＭＥにハンドオーバ通知（Ｈａｎｄｏｖｅｒ  Ｎｏｔｉｆｙ）を送信する。
【０１２７】
３１４において、ＭＭＥはＳＧＷにベアラ修正要求（Ｍｏｄｉｆｙ  ｂｅａｒｅｒ  Ｒｅｑｕｅｓｔ）を送信する。
【０１２８】
３１５ａにおいて、ＳＧＷはＰＧＷ−Ｃ＋ＳＭＦにベアラ修正要求（Ｍｏｄｉｆｙ  ｂｅａｒｅｒ  Ｒｅｑｕｅｓｔ）を送信する。
【０１２９】
３１５ｂにおいて、ＰＧＷ−Ｃ＋ＳＭＦとＰＧＷ−Ｕ＋ＵＰＦとの間にＳｘセッション変更（Ｓｘ  Ｓｅｓｓｉｏｎ  Ｍｏｄｉｆｉｃａｔｉｏｎ）を行う。
【０１３０】
３１６において、ＰＧＷ−Ｃ＋ＳＭＦはＳＧＷにベアラ修正応答を送信する。
【０１３１】
３１７において、ＳＧＷはＭＭＥにベアラ修正応答を送信する。
【０１３２】
３１８において、装置の間にＰＧＷ初期の専用ベアラアクティブ化（ＰＧＷ  Ｉｎｉｔｉａｔｅｄ  ｄｅｄｉｃａｔｅｄ  ｂｅａｒｅｒ  ａｃｔｉｖａｔｉｏｎ）を行う。
【０１３３】
選択肢として、該端末装置の現在の登録モードが単重登録モードであり、且つ該第１システムと第２システムがＮ２６インターフェースをサポートしない場合、該実行すべきプロセスはリダイレクションプロセスである。
【０１３４】
又は、該端末装置の現在の登録モードが単重登録モードであり、且つ該第１システムがＮ２６インターフェースのない相互運用をサポートする場合、該実行すべきプロセスはリダイレクションプロセスである。
【０１３５】
理解されるように、本願の実施例では、第１システム又は第２システムがＮ２６インターフェースのある相互運用をサポートすることは、Ｎ２６インターフェースのあるハンドオーバ等をサポートすると理解されてもよい。
【０１３６】
そして、本願の実施例では、第１システム又は第２システムがＮ２６インターフェースのない相互運用をサポートすることは、Ｎ２６インターフェースのないハンドオーバ等をサポートすると理解されてもよい。
【０１３７】
選択肢として、本願の実施例では、第１システム又は第２システムがＮ２６インターフェースのある又はＮ２６インターフェースのない相互運用をサポートすることは、第１システムのコアネットワーク装置又は第２システムのコアネットワーク装置がＮ２６インターフェースのある又はＮ２６インターフェースのない相互運用をサポートすることを指してもよい。
【０１３８】
選択肢として、本願の実施例では、システムがＮ２６インターフェースをサポートすることは、Ｎ２６インターフェースのある相互運用をサポートすると理解されてもよい。
【０１３９】
選択肢として、本願の実施例では、リダイレクションプロセスは端末装置が第１セルとの接続を解除して第２セルとの接続を確立するものであってもよく、リダイレクションプロセスを実行した後の操作は図５に示されてもよい。
【０１４０】
理解されるように、図５に示されるプロセスをリダイレクションプロセスの少なくとも一部の操作としてもよい。
【０１４１】
更に理解されるように、図５に示されるプロセスは５Ｇシステムから４Ｇシステムへのネットワーク変換であるが、本願の実施例はこれに限らず、本願の実施例は４Ｇシステムから５Ｇシステムへ変換してもよい。
【０１４２】
例えば、ＵＥは５Ｇ  ＮＲネットワークのカバレッジ領域から４Ｇ  ＬＴＥネットワークのカバレッジ領域に移動するとき、ＵＥは５Ｇ  ＮＲネットワークから４Ｇ  ＬＴＥネットワークにアクセスする必要がある。
【０１４３】
更に、例えば、ＵＥは同時に５Ｇ  ＮＲネットワーク及び４Ｇ  ＬＴＥネットワークのカバレッジ領域内にあるとき、ＵＥは５Ｇ  ＮＲネットワークへのアクセスを放棄して、４Ｇ  ＬＴＥネットワークへのアクセスを選択する。
【０１４４】
４０１において、ＵＥは位置更新プロセスとも称されるトラッキングエリアアップデート（ＴＡＵ、Ｔｒａｃｋｉｎｇ  Ａｒｅａ  Ｕｐｄａｔｅ）プロセスをトリガーする。
【０１４５】
理解されるように、ＵＥが５ＧＳへの登録を完了した場合、ＮＧ  ＲＡＮ（ｇＮＢ）、ソースＭＭＥ／ＡＭＦ、ＰＧＷ−Ｃ＋ＳＭＦ及びＰＧＷ−Ｕ＋ＵＰＦはＵＥにサービスを提供する。
【０１４６】
４０２において、ＵＥはＥ−ＵＴＲＡＮ（ｅＮＢ）にＴＡＵ要求（ｒｅｑｕｅｓｔ）メッセージを送信する。
【０１４７】
選択肢として、該ＴＡＵ要求メッセージはＵＥが５Ｇ  ＮＲネットワークから４Ｇ  ＬＴＥネットワークにアクセスすることを示すグローバル一意一時的ＵＥ識別情報（ＧＵＴＩ、Ｇｌｏｂａｌｌｙ  Ｕｎｉｑｕｅ  Ｔｅｍｐｏｒａｒｙ  ＵＥ  Ｉｄｅｎｔｉｔｙ）を含む。
【０１４８】
４０３において、Ｅ−ＵＴＲＡＮは宛先ＭＭＥに該ＴＡＵ要求メッセージを送信する。
【０１４９】
理解されるように、宛先ＭＭＥはＵＥが４Ｇネットワークに移動した後にＵＥにサービスを提供するコアネットワークのネットワーク要素である。
【０１５０】
４０４において、宛先ＭＭＥはＵＥにＴＡＵ拒絶メッセージを送信する。
【０１５１】
該ＴＡＵ拒絶メッセージは該ＴＡＵ要求メッセージに対する応答メッセージである。
【０１５２】
選択肢として、宛先ＭＭＥは該ＴＡＵ要求メッセージに含まれるＧＵＴＩ情報への解析に失敗した後、ＵＥに該ＴＡＵ拒絶（ｒｅｊｅｃｔ）メッセージを送信する。
【０１５３】
選択肢として、該ＴＡＵ拒絶メッセージは宛先ＭＭＥが該ＧＵＴＩ情報を識別できず及び／又は宛先ＭＭＥがシステム間インターフェースのない通信をサポートしないことを示す原因値を含む。選択肢として、ＵＥは該原因値に基づいて宛先ＭＭＥ（Ｅ−ＵＴＲＡＮによる転送）へのアタッチ（ａｔｔａｃｈ）要求の送信をトリガーする。
【０１５４】
選択肢として、該ＴＡＵ拒絶メッセージはＵＥが宛先ＭＭＥ（Ｅ−ＵＴＲＡＮによる転送）にアタッチ（ａｔｔａｃｈ）要求を送信するようにトリガーするための第１指示情報を含む。
【０１５５】
４０５において、ＵＥはＥ−ＵＴＲＡＮにハンドオーバ識別子を含むアタッチ要求を送信する。
【０１５６】
選択肢として、該アタッチ要求におけるパケットデータネットワーク（ＰＤＮ、Ｐａｃｋｅｔ  Ｄａｔａ  Ｎｅｔｗｏｒｋ）接続（ｃｏｎｎｅｃｔｉｖｉｔｙ）要求パラメータには該ハンドオーバ（ｈａｎｄｏｖｅｒ）識別子が含まれる。
【０１５７】
選択肢として、該アタッチ要求には端末装置の元のＧＵＴＩ及び５Ｇから４Ｇへの移動の指示が含まれてもよい。
【０１５８】
選択肢として、該アタッチ要求は５Ｇ  ＮＲネットワークにおけるＰＤＵ／ＰＤＮセッション（ｓｅｓｓｉｏｎ）に対応するアクセスポイント名（ＡＰＮ、Ａｃｃｅｓｓ  Ｐｏｉｎｔ  Ｎａｍｅ）又は宛先ネットワーク名（ＤＮＮ、Ｄｅｓｔｉｎａｔｉｏｎ  Ｎｅｔｗｏｒｋ  Ｎａｍｅ）を含む。
【０１５９】
４０６において、Ｅ−ＵＴＲＡＮは宛先ＭＭＥに該アタッチ要求を送信する。
【０１６０】
選択肢として、宛先ＭＭＥは該ＴＡＵ要求メッセージに含まれるＧＵＴＩ情報に基づいて、ＵＥが５Ｇ  ＮＲネットワークから４Ｇ  ＬＴＥネットワークにアクセスすることを決定する。
【０１６１】
４０７において、Ｅ−ＵＴＲＡＮは初期アタッチする。
【０１６２】
４０８において、宛先ＭＭＥはＨＳＳ＋ＵＤＭに位置更新要求を送信する。
【０１６３】
４０９において、ＨＳＳ＋ＵＤＭは宛先ＭＭＥに位置更新応答を送信する。
【０１６４】
４１０において、Ｅ−ＵＴＲＡＮは初期アタッチする。
【０１６５】
４１１において、宛先ＭＭＥはＨＳＳ＋ＵＤＭに通知要求を送信する。
【０１６６】
４１２において、ＨＳＳ＋ＵＤＭは宛先ＭＭＥに通知応答を送信する。
【０１６７】
４１３において、ＵＥが要求するＰＤＮ接続を行う。
【０１６８】
選択肢として、該端末装置の現在の登録モードが単重登録モードである場合、該端末装置はネットワーク側から送信された、ネットワーク側がＮ２６インターフェースのないハンドオーバをサポートすることを示すための指示情報を識別すれば、該端末装置はトリガーされたリダイレクションプロセスを実行した後、該ネットワーク側にアタッチ要求メッセージを送信する。即ち、４０５から実行してもよい。
【０１６９】
選択肢として、該端末装置の現在の登録モードが単重登録モードである場合、該端末装置はネットワーク側から送信された、ネットワーク側がＮ２６インターフェースのないハンドオーバをサポートすることを示すための指示情報を識別せず又は受信していなければ、該端末装置はトリガーされたリダイレクションプロセスを実行した後、位置更新（ＴＡＵ）要求メッセージを送信する。即ち、４０１から実行してもよい。
【０１７０】
４０１から実行する場合、ＵＥはネットワーク側から送信された「Ｎ２６インターフェースのないハンドオーバをサポートする」指示を識別できれば、ＵＥはＡｔｔａｃｈ  ｗｉｔｈ  Ｈａｎｄｏｖｅｒ  ｆｌａｇを実行して、５ＧＳにおけるＰＤＵ  Ｓｅｓｓｉｏｎに対応するＡＰＮ／ＤＮＮを含め、該メッセージによってネットワーク側がＵＥの用いたＡＰＮ／ＤＮＮに基づいて位置する統合ネットワーク要素ＳＭＦ＋ＰＧＷ−Ｃ、ＵＰＦ＋ＰＧＷ−Ｕ、ＰＣＦ＋ＰＣＲＦを検索するようにトリガーし、それにより統合ネットワーク要素に４ＧのＳＭコンテキストをマッピングさせ、セッションＩＰアドレスの整合性を実現する。
【０１７１】
一実現方式では、該端末装置の現在の登録モードが単重登録モードであり、且つ該端末装置のサポートする登録モードが二重登録モードである場合、該実行すべきプロセスは該第１セルとの接続を維持しながら該第２セルにアクセスするプロセスである。具体的に、端末装置は新しいアタッチ及びＰＤＮ接続を確立することができる。ネットワーク装置は無線リソース制御（ＲＲＣ、Ｒａｄｉｏ  Ｒｅｓｏｕｒｃｅ  Ｃｏｎｔｒｏｌ）再構成メッセージによって、端末装置が現在の接続を維持しながら第２セルにアクセスするようにトリガーしてもよい。
【０１７２】
一実現方式では、該端末装置の現在の登録モードが二重登録モードである場合、該実行すべきプロセスはリダイレクションプロセスである。具体的に、端末装置は第１システムの第１セルとの接続を解除して、第２システムの第２セルとの接続を確立してもよい。
【０１７３】
このような実現方式では、該第１システムと該第２システムとはＮ２６インターフェースをサポートする。
【０１７４】
すなわち、第１システムと第２システムとはＮ２６インターフェースをサポートしても、該端末装置の現在の登録モードが二重登録モードである場合、端末装置はリダイレクションプロセスを実行して、リダイレクションプロセスの実行を完了した後、アタッチ要求を送信してもよく、即ち、図４に示される４０５から実行してもよい。
【０１７５】
具体的に、ＵＥはネットワーク側から送信された「Ｎ２６インターフェースのないハンドオーバをサポートする」指示を識別しない場合、直接にトラッキングエリアアップデート要求（Ｔｒａｃｋｉｎｇ  Ａｒｅａ  Ｕｐｄａｔｅ  ｒｅｑｕｅｓｔ）を行うと、ネットワーク側がＮ２６インターフェースをサポートしなければ、ネットワーク側がＵＥにＴＡＵ拒絶メッセージを送信し、次に、ＵＥが通常のＡｔｔａｃｈプロセスを開始してしまう。この場合、セッションＩＰアドレスの整合性を確保できない恐れがある。
【０１７６】
以下、第１ネットワーク装置がコアネットワーク装置である場合を例として説明する。
【０１７７】
選択肢として、該コアネットワーク装置は該第１システムにおけるアクセスネットワーク装置のトリガーした、該端末装置の現在アクセス中のセルをハンドオーバするように要求するためのハンドオーバ要求を受信し、
ハンドオーバプロセスに応答して、該コアネットワーク装置は該端末装置の現在の登録モード及び／又はサポートする登録モード、及び／又は前記第１システムのＮ２６インターフェースのある又はＮ２６インターフェースのない相互運用へのサポート状況に応じて、該端末装置が第２システムにおける第２セルにアクセスするために実行すべき又は実行できないプロセスを決定する。
【０１７８】
選択肢として、該コアネットワーク装置は該端末装置が該第２セルにアクセスしてハンドオーバプロセスを実行できないことを決定した場合、該コアネットワーク装置は該アクセスネットワーク装置にハンドオーバ拒絶メッセージを送信する。
【０１７９】
選択肢として、前記ハンドオーバ拒絶メッセージには前記ハンドオーバ要求メッセージを拒絶する原因値が含まれる。
【０１８０】
選択肢として、該ハンドオーバ拒絶メッセージには該端末装置の現在の登録モード、サポートする登録モード又は実行すべきプロセスが含まれる。具体的に、端末装置の現在位置する登録モードはＮＡＳメッセージによってＡＭＦに報告して保存されてもよい。ＮＧ−ＲＡＮがハンドオーバ要求（Ｈａｎｄｏｖｅｒ  ｒｅｑｕｉｒｅｄ）命令をトリガーする場合、ＡＭＦは端末装置の現在の登録モードに基づいて選択する。単重登録モードの場合、ＡＭＦはハンドオーバの後続プロセスを実行し続け、二重登録モードの場合、ＡＭＦはハンドオーバ要求メッセージを拒絶して、ＮＧ−ＲＡＮにハンドオーバ拒絶メッセージを送信し、原因値において、該ＵＥが二重登録モードにあること又はハンドオーバプロセスを行えないことを示す。ＮＧ−ＲＡＮは拒絶を受信した後、ＡＭＦから送信された原因値に基づいてＲＲＣリダイレクションをトリガーする。
【０１８１】
以下、第１ネットワーク装置がアクセスネットワーク装置である場合を例として説明する。選択肢として、該実行すべきプロセスがハンドオーバプロセスである場合、該アクセスネットワーク装置は該第１システムのコアネットワーク装置に対してハンドオーバ要求メッセージをトリガーし、該実行すべきプロセスがアタッチプロセス又はリダイレクションプロセスである場合、該アクセスネットワーク装置は該端末装置に対して該第１セルとの接続を維持しながら該第２セルにアクセスするプロセス又はリダイレクションプロセスをトリガーする。
【０１８２】
選択肢として、端末装置の現在位置する登録モード及び／又は二重登録モードのサポート状況は、無線インターフェースメッセージによってＮＧ−ＲＡＮに報告され又はＡＭＦによってＮ２インターフェースにおいてＮＧ−ＲＡＮに送信して保存されてもよい。ＮＧ−ＲＡＮは端末装置の現在位置する登録モード及び／又は二重登録モードのサポート状況に応じて、ハンドオーバ要求それともＲＲＣリダイレクションを開始するかを決定する。
【０１８３】
選択肢として、本願の実施例では、前記アクセスネットワーク装置はコアネットワーク装置にハンドオーバ要求メッセージを送信し、前記アクセスネットワーク装置はハンドオーバ拒絶メッセージを受信し、前記ハンドオーバ拒絶メッセージには前記第１システムがＮ２６インターフェースのない相互運用をサポートし及び／又は前記端末が二重登録モードにあることを示すための指示情報が含まれ、それにより該アクセスネットワーク装置は指示情報に基づいてＲＲＣリダイレクションをトリガーしてもよい。
【０１８４】
選択肢として、本願の実施例では、前記第１システムのＮ２６インターフェースのある又はＮ２６インターフェースのない相互運用へのサポート状況は、前記アクセスネットワーク装置がプリセット情報に基づいて決定したものである。
【０１８５】
選択肢として、前記プリセット情報は前記第１システムのコアネットワーク装置から送信されたＮ２メッセージからのものである。
【０１８６】
選択肢として、前記プリセット情報は前記第１システムのコアネットワーク装置が前記端末又は他の端末の登録メッセージに対して返信したメッセージからのものである。
【０１８７】
具体的に、ＡＭＦがＮＧ−ＲＡＮに送信したメッセージには「ネットワーク側がＮ２６インターフェースのない相互運用をサポートし及び／又はＵＥがＤＲモードにある」識別子が含まれ、後続のＮＧ−ＲＡＮはこれに応じて、システム間相互運用を行う必要があるとき、ＲＲＣリダイレクション動作をトリガーしてもよい。このメッセージは登録過程における返信メッセージ（Ｎ２メッセージ及び非アクセス層（Ｎｏｎ−ａｃｃｅｓｓ  ｓｔｒａｔｕｍ、ＮＡＳメッセージ）を含む）に追加されてもよい。
【０１８８】
選択肢として、図６に示すように、複数の通信事業者のコアネットワーク装置は同一の新無線の無線アクセスネットワーク（ＮＲ−ＲＡＮ、Ｎｅｗ  Ｒａｄｉｏ−Ｒａｄｉｏ  Ａｃｃｅｓｓ  Ｎｅｔｗｏｒｋ）に接続されてもよく、これにより、同じＮＲ  ＲＡＮには複数の通信事業者の５ＧＣのＮ２６インターフェースに対する相互運用状況が予め設定されてもよい。
【０１８９】
選択肢として、前記プリセット情報は少なくとも１つの公衆陸上移動網（ＰＬＭＮ、Ｐｕｂｌｉｃ  Ｌａｎｄ  Ｍｏｂｉｌｅ  Ｎｅｔｗｏｒｋ）に対応するシステムのＮ２６インターフェースのある又はＮ２６インターフェースのない相互運用へのサポート状況を含み、具体的に、表１に示されてもよい。
【０１９０】
【表１】
2021510030.tif 000003
【０１９１】
具体的に、各ＰＬＭＮに対応するシステム（ネットワークとも称される）がＮ２６インターフェースのある相互運用をサポートするかどうかを示すよう、ＮＧ−ＲＡＮに１つのＰＬＭＮリストを設定してもよく、ＮＧ−ＲＡＮは該リストに基づいてＵＥの現在アクセス中のＰＬＭＮに対応するＮ２６インターフェースのある相互運用へのサポート状況を判断することにより、ＲＲＣリダイレクション又はハンドオーバ要求をトリガーするかどうかを決定する。
【０１９２】
該少なくとも１つのＰＬＭＮに対応するシステムのＮ２６インターフェースのある又はＮ２６インターフェースのない相互運用へのサポート状況は、コアネットワーク装置がアクセスネットワーク装置に設定したものであってもよい。
【０１９３】
例えば、図７に示すように、コアネットワーク装置は複数のＲＡＮにそれぞれ少なくとも１つのシステムがＮ２６インターフェースのある相互運用をサポートするかどうかを示してもよく、ＰＬＭＮ  ＩＤ（Ｉｄｅｎｔｉｆｉｅｒ、識別子）リストの粒度に基づいて示してもよい。
【０１９４】
理解されるように、本願の実施例では、以上は第１システムが５Ｇシステム、第２システムが４Ｇシステムである場合を例として説明したが、本願の実施例はこれに限らない。
【０１９５】
図８は本願の実施例に係る無線通信方法６００の模式的なフローチャートである。該方法６００は以下の内容の少なくとも一部を含む。
【０１９６】
６１０において、第２ネットワーク装置は端末装置の現在の登録モード、サポートする登録モード、前記第１システムのＮ２６インターフェースのある又はＮ２６インターフェースのない相互運用へのサポート状況、少なくとも１つの公衆陸上移動網（ＰＬＭＮ）に対応するシステムのＮ２６インターフェースのある又はＮ２６インターフェースのない相互運用へのサポート状況及び前記端末装置の現在の第２システムへの登録状況のうちの少なくとも１つを決定する。
【０１９７】
６２０において、該第２ネットワーク装置は前記端末装置の現在の登録モード、サポートする登録モード、前記第１システムのＮ２６インターフェースのある又はＮ２６インターフェースのない相互運用へのサポート状況、少なくとも１つの公衆陸上移動網（ＰＬＭＮ）に対応するシステムのＮ２６インターフェースのある又はＮ２６インターフェースのない相互運用へのサポート状況及び前記端末装置の現在の第２システムへの登録状況のうちの少なくとも１つを示すための指示情報を第１システムにおける第１ネットワーク装置に送信する。
【０１９８】
選択肢として、該第２ネットワーク装置は該端末装置から送信された登録メッセージ又は位置更新メッセージに基づいて、前記端末装置の現在の登録モード、サポートする登録モード及び前記端末装置の現在の第２システムへの登録状況のうちの少なくとも１つを決定する。
【０１９９】
選択肢として、該第２ネットワーク装置は該第１システムにおけるネットワーク装置から送信された、該端末装置が第２システムに登録した後に該第２ネットワーク装置が該第１ネットワーク装置に通知することを示すための購読通知を受信し、該端末装置が該第１システムに登録しており、該指示情報は該端末装置が該第２システムに登録していることを示すことにより、該端末装置の現在のモードが二重登録モードであることを示す。
【０２００】
選択肢として、該第２ネットワーク装置はＵＤＭ＋ＨＳＳのネットワーク要素である。
【０２０１】
選択肢として、前記第２ネットワーク装置は前記第２システムにおけるコアネットワーク装置であり、前記第１ネットワーク装置は前記第１システムのコアネットワーク装置であり、前記指示情報は前記端末装置が前記第２システムに登録しており又は前記第２システムから登録を解除したことを示すことに用いられる。
【０２０２】
選択肢として、前記第２ネットワーク装置は前記第１システムにおけるコアネットワーク装置であり、前記第１ネットワーク装置は前記第１システムのアクセスネットワーク装置である。
【０２０３】
選択肢として、前記第２ネットワーク装置は前記第２システムのコアネットワーク装置から送信された、前記端末装置の現在の第２システムへの登録状況を示すための情報を受信する。
【０２０４】
選択肢として、本願の実施例では、前記第２ネットワーク装置は前記第１ネットワーク装置から送信されたハンドオーバ要求メッセージを受信する。
【０２０５】
選択肢として、本願の実施例では、前記第１システムがＮ２６インターフェースのない相互運用をサポートし、及び／又は前記端末が二重登録モードにある場合、前記第２ネットワーク装置は前記第１ネットワーク装置にハンドオーバ拒絶メッセージを送信し、前記第１指示情報は前記ハンドオーバ拒絶メッセージに含まれ、前記第１指示情報は前記第１システムがＮ２６インターフェースのない相互運用をサポートし及び／又は前記端末が二重登録モードにあることを示すことに用いられる。
【０２０６】
図９は本願の実施例に係る無線通信方法７００の模式的なフローチャートである。該方法７００は以下の内容の少なくとも一部を含む。
【０２０７】
７１０において、端末装置は該端末装置の現在の登録モード及び／又はサポートする登録モードを示すための第１情報を生成する。
【０２０８】
７２０において、端末装置は該端末装置の現在の登録モード及び／又はサポートする登録モードを示すための該第１情報をネットワーク装置に送信する。
【０２０９】
選択肢として、該第１情報は登録メッセージ又は位置更新メッセージに含まれる。
【０２１０】
理解されるように、本願の実施例の上記方法はいくつかの場合に組み合わせて使用されてもよく、簡潔のために、ここで詳細な説明は省略する。
【０２１１】
図１０は本願の実施例に係る無線通信方法１３００の模式的なフローチャートである。該方法１３００は以下の内容の少なくとも一部を含む。
【０２１２】
１３１０において、端末装置はネットワーク装置から送信された、少なくとも１つの公衆陸上移動網（ＰＬＭＮ）に対応するシステムのＮ２６インターフェースのある又はＮ２６インターフェースのない相互運用へのサポート状況を示すための指示情報を受信する。
【０２１３】
１３２０において、少なくとも１つのＰＬＭＮに対応するシステムのＮ２６インターフェースのある又はＮ２６インターフェースのない相互運用へのサポート状況に応じて、アクセスのためのＰＬＭＮを選択する。
【０２１４】
図１１は本願の実施例に係る無線通信方法１４００の模式的なフローチャートである。該方法１４００は以下の内容の少なくとも一部を含む。
【０２１５】
１４１０において、ネットワーク装置は少なくとも１つの公衆陸上移動網（ＰＬＭＮ）に対応するシステムのＮ２６インターフェースのある又はＮ２６インターフェースのない相互運用へのサポート状況を取得し、
１４２０において、前記ネットワーク装置は少なくとも１つのＰＬＭＮに対応するシステムのＮ２６インターフェースのある又はＮ２６インターフェースのない相互運用へのサポート状況を示すための指示情報を端末装置に送信する。
【０２１６】
選択肢として、本願の実施例では、該ネットワーク装置はコアネットワーク装置であってもよい。
【０２１７】
図１２は本願の実施例に係る無線通信方法１５００の模式的なブロック図である。該方法１５００は以下の内容の少なくとも一部を含む。
【０２１８】
１５１０において、アクセスネットワーク装置は端末に対するハンドオーバ要求メッセージをソースコアネットワーク装置に送信し、
１５２０において、前記アクセスネットワーク装置は前記コアネットワーク装置から送信されたハンドオーバ拒絶メッセージを受信し、
１５３０において、前記ハンドオーバ拒絶メッセージに応答して、前記アクセスネットワーク装置は前記端末に対して無線リソース制御（ＲＲＣ）リダイレクション動作をトリガーする。
【０２１９】
具体的に、図１３に示すように、ソース無線アクセスネットワーク（Ｓ−ＲＡＮ、Ｓｏｕｒｃｅ  Ｒａｄｉｏ  Ａｃｃｅｓｓ  Ｎｅｔｗｏｒｋ）はコアネットワーク装置にハンドオーバ要求メッセージを送信し、コアネットワーク装置は該ハンドオーバ要求メッセージを受信した後、Ｓ−ＲＡＮにハンドオーバ拒絶メッセージを送信し、該ハンドオーバ拒絶メッセージを受信した後、Ｓ−ＲＡＮはＵＥに対してＲＲＣリダイレクションをトリガーしてもよく、ＵＥがターゲット無線アクセスネットワーク（Ｔ−ＲＡＮ、Ｔａｒｇｅｔ  Ｒａｄｉｏ  Ａｃｃｅｓｓ  Ｎｅｔｗｏｒｋ）にＲＲＣ接続要求を送信してもよい。
【０２２０】
図１４は本願の実施例に係るネットワーク装置８００の模式的なブロック図である。図１４に示すように、該ネットワーク装置８００は第１決定ユニット８１０及び第２決定ユニット８２０を備え、
前記第１決定ユニット８１０は、端末装置の現在の登録モード及び／又はサポートする登録モードを決定することに用いられ、前記登録モードはシングルシステムに登録する単重登録モード又はデュアルシステムに登録する二重登録モードであり、前記端末装置が現在前記第１システムにおける第１セルにアクセスしており、
前記第２決定ユニット８２０は、前記端末装置の現在の登録モード及び／又はサポートする登録モードに基づいて、前記端末装置が第２システムにおける第２セルにアクセスするために実行すべき又は実行できないプロセスを決定することに用いられる。
【０２２１】
選択肢として、該ネットワーク装置は更に、他のネットワーク装置又は端末装置との通信を実現するための通信ユニット８３０を備えてもよい。
【０２２２】
理解されるように、本願の実施例のネットワーク装置８００は方法実施例の第１ネットワーク装置の対応操作を実現することができ、簡潔のために、ここで詳細な説明は省略する。
【０２２３】
図１５は本願の実施例に係るネットワーク装置９００の模式的なブロック図である。図１５に示すように、該ネットワーク装置９００は決定ユニット９１０及び通信ユニット９２０を備え、
前記決定ユニット９１０は、端末装置の現在の登録モード、サポートする登録モード及び前記端末装置の現在の第２システムへの登録状況のうちの少なくとも１つを決定することに用いられ、
前記通信ユニット９２０は、前記端末装置の現在の登録モード、サポートする登録モード及び前記端末装置の現在の第２システムへの登録状況のうちの少なくとも１つを示すための指示情報を第１システムにおける第１ネットワーク装置に送信することに用いられる。
【０２２４】
理解されるように、本願の実施例のネットワーク装置９００は方法実施例の第２ネットワーク装置の対応操作を実現することができ、簡潔のために、ここで詳細な説明は省略する。
【０２２５】
図１６は本願の実施例に係る端末装置１０００の模式的なブロック図である。図１６に示すように、該端末装置１０００は生成ユニット１０１０及び通信ユニット１０２０を備え、
前記生成ユニット１０１０は、前記端末装置の現在の登録モード及び／又はサポートする登録モードを示すための指示情報を生成することに用いられ、
前記通信ユニットは、前記端末装置の現在の登録モード及び／又はサポートする登録モードを示すための前記指示情報をネットワーク装置に送信することに用いられる。
【０２２６】
理解されるように、本願の実施例の端末装置１０００は方法実施例の端末装置の対応操作を実現することができ、簡潔のために、ここで詳細な説明は省略する。
【０２２７】
図１７は本願の実施例に係る端末装置１６００の模式的なブロック図である。該端末装置１６００は通信ユニット１６１０及び選択ユニット１６２０を備え、
前記通信ユニット１６１０は、ネットワーク装置から送信された、少なくとも１つの公衆陸上移動網（ＰＬＭＮ）に対応するシステムのＮ２６インターフェースのある又はＮ２６インターフェースのない相互運用へのサポート状況を示すための指示情報を受信することに用いられ、
前記選択ユニット１６２０は、少なくとも１つのＰＬＭＮに対応するシステムのＮ２６インターフェースのある又はＮ２６インターフェースのない相互運用へのサポート状況に応じて、アクセスのためのＰＬＭＮを選択することに用いられる。
【０２２８】
図１８は本願の実施例に係るネットワーク装置１７００の模式的なブロック図である。該ネットワーク装置１７００は取得ユニット１７１０及び通信ユニット１７２０を備え、
前記取得ユニット１７１０は、少なくとも１つの公衆陸上移動網（ＰＬＭＮ）に対応するシステムのＮ２６インターフェースのある又はＮ２６インターフェースのない相互運用へのサポート状況を取得することに用いられ、
前記通信ユニット１７２０は、少なくとも１つのＰＬＭＮに対応するシステムのＮ２６インターフェースのある又はＮ２６インターフェースのない相互運用へのサポート状況を示すための指示情報を端末装置に送信することに用いられる。
【０２２９】
図１９は本願の実施例に係るアクセスネットワーク装置１８００の模式的なブロック図である。該アクセスネットワーク装置１８００は通信ユニット１８１０及び処理ユニット１８２０を備え、
前記通信ユニット１８１０は、端末に対するハンドオーバ要求メッセージをソースコアネットワーク装置に送信することと、前記ソースコアネットワーク装置から送信されたハンドオーバ拒絶メッセージを受信することと、に用いられ、
前記処理ユニット１８２０は、前記ハンドオーバ拒絶メッセージに応答して、前記端末に対して無線リソース制御（ＲＲＣ）リダイレクション動作をトリガーすることに用いられる。
【０２３０】
図２０は本願の実施例のシステムチップ１１００の構造模式図である。図２０のシステムチップ１１００は入力インターフェース１１０１、出力インターフェース１１０２、プロセッサ１１０３及びメモリ１１０４を備え、それらが内部通信接続経路によって接続されてもよく、前記プロセッサ１１０３は前記メモリ１１０４におけるコードを実行することに用いられる。
【０２３１】
選択肢として、前記コードが実行されるとき、前記プロセッサ１１０３は方法実施例における端末装置の実行する方法を実現する。簡潔のために、ここで詳細な説明は省略する。
【０２３２】
選択肢として、前記コードが実行されるとき、前記プロセッサ１１０３は方法実施例における第１ネットワーク装置の実行する方法を実現する。簡潔のために、ここで詳細な説明は省略する。
【０２３３】
選択肢として、前記コードが実行されるとき、前記プロセッサ１１０３は方法実施例における第２ネットワーク装置の実行する方法を実現する。簡潔のために、ここで詳細な説明は省略する。
【０２３４】
図２１は本願の実施例に係る通信装置１２００の模式的なブロック図である。図２１に示すように、該通信装置１２００はプロセッサ１２１０及びメモリ１２２０を備える。該メモリ１２２０にプログラムコードが記憶されてもよく、該プロセッサ１２１０は該メモリ１２２０に記憶されるプログラムコードを実行することができる。
【０２３５】
選択肢として、図２１に示すように、該通信装置１２００は送受信機１２３０を備えてもよく、プロセッサ１２１０は送受信機１２３０による外部との通信を制御することができる。
【０２３６】
選択肢として、該プロセッサ１２１０はメモリ１２２０に記憶されるプログラムコードを呼び出して、方法実施例の端末装置の対応操作を実行することができ、簡潔のために、ここで詳細な説明は省略する。
【０２３７】
選択肢として、該プロセッサ１２１０はメモリ１２２０に記憶されるプログラムコードを呼び出して、方法実施例のネットワーク装置の対応操作を実行することができ、簡潔のために、ここで詳細な説明は省略する。
【０２３８】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０２３９】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。なお、本明細書に説明されるシステム及び方法のメモリはこれらのメモリ及び任意の他の適切なタイプのメモリを含むが、それらに限らないように意図されるものである。
【０２４０】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０２４１】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０２４２】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２４３】
分離部材として説明される前記ユニットは物理的に分離してもよく、物理的に分離しなくてもよく、ユニットとして表示される部材は物理ユニットであってもよく、物理ユニットでなくてもよく、即ち一箇所に位置してもよく、複数のネットワークユニットに配置されてもよい。実際の必要に応じて、その一部又は全部のユニットを選択して本実施例案の目的を実現してもよい。
【０２４４】
また、本願の各実施例では、各機能ユニットは１つの処理ユニットに統合されてもよく、各ユニットは独立して物理的に存在してもよく、２つ以上のユニットは１つのユニットに統合されてもよい。
【０２４５】
前記機能はソフトウェア機能ユニットの形式で実現され、独立した製品として販売又は使用されるとき、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０２４６】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021510030.tif 000004
【図２】
2021510030.tif 000005
【図３】
2021510030.tif 000006
【図４】
2021510030.tif 000007
【図５】
2021510030.tif 000008
【図６】
2021510030.tif 000009
【図７】
2021510030.tif 000010
【図８】
2021510030.tif 000011
【図９】
2021510030.tif 000012
【図１０】
2021510030.tif 000013
【図１１】
2021510030.tif 000014
【図１２】
2021510030.tif 000015
【図１３】
2021510030.tif 000016
【図１４】
2021510030.tif 000017
【図１５】
2021510030.tif 000018
【図１６】
2021510030.tif 000019
【図１７】
2021510030.tif 000020
【図１８】
2021510030.tif 000021
【図１９】
2021510030.tif 000022
【図２０】
2021510030.tif 000023
【図２１】
2021510030.tif 000024
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
無線通信方法であって、
第１システムにおける第１ネットワーク装置は、端末装置の現在の登録モード及び／又はサポートする登録モード、及び／又は前記第１システムのＮ２６インターフェースのある又はＮ２６インターフェースのない相互運用へのサポート状況を決定し、前記登録モードはシングルシステムに登録する単重登録モード又はデュアルシステムに登録する二重登録モードであり、前記端末装置が現在前記第１システムにおける第１セルにアクセスしていることと、
前記第１ネットワーク装置は、前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することと、を含むことを特徴とする無線通信方法。
【請求項２】
前記端末装置のサポートする登録モードがは二重登録モードであることを特徴とする請求項１に記載の方法。
【請求項３】
前記二重登録モードは、前記端末装置がアタッチ要求におけるパケットデータネットワーク接続要求パラメータにおいてハンドオーバ（ｈａｎｄｏｖｅｒ）識別子を追加する能力を持つことを特徴とする請求項１又は２に記載の方法。
【請求項４】
前記端末装置の現在の登録モードが単重登録モードである場合、前記実行すべきプロセスがハンドオーバプロセス又はリダイレクションプロセスであることを特徴とする請求項１に記載の方法。
【請求項５】
前記端末装置が現在前記第１セルと接続状態を維持し、前記第１システムと前記第２システムとの間にＮ２６インターフェースをサポートしない場合、前記実行すべきプロセスがリダイレクションプロセスであり、又は、
前記端末装置が現在前記第１セルと接続状態を維持し、且つ前記第１システムがＮ２６インターフェースのない相互運用をサポートする場合、前記実行すべきプロセスがリダイレクションプロセスであることを特徴とする請求項４に記載の方法。
【請求項６】
前記端末装置はネットワーク側から送信された、ネットワーク側がＮ２６インターフェースのないハンドオーバをサポートすることを示すための指示情報を識別する場合、前記端末装置はトリガーされたリダイレクションプロセスを実行した後、前記ネットワーク側にアタッチ要求メッセージを送信し、又は、
前記端末装置はネットワーク側から送信された、ネットワーク側がＮ２６インターフェースのないハンドオーバをサポートすることを示すための指示情報を識別せず又は受信していない場合、前記端末装置はトリガーされたリダイレクションプロセスを実行した後、位置更新（ＴＡＵ）要求メッセージを送信することを特徴とする請求項５に記載の方法。
【請求項７】
前記第１ネットワーク装置はコアネットワーク装置であることを特徴とする請求項１〜６のいずれか１項に記載の方法。
【請求項８】
前記第１ネットワーク装置はアクセスネットワーク装置であり、前記第１システムのＮ２６インターフェースのある又はＮ２６インターフェースのない相互運用へのサポート状況は、前記アクセスネットワーク装置がプリセット情報に基づいて決定したものであることを特徴とする請求項１〜７のいずれか１項に記載の方法。
【請求項９】
前記第１システムが５Ｇシステムであり、前記第２システムがロングタームエボリューション（ＬＴＥ）システムであることを特徴とする請求項１〜８のいずれか１項に記載の方法。
【請求項１０】
コアネットワーク装置であって、前記コアネットワーク装置は第１システムにおけるコアネットワーク装置であって、第１決定ユニット及び第２決定ユニットを備え、
前記第１決定ユニットは、端末装置の現在の登録モード及び／又はサポートする登録モード、及び／又は前記第１システムのＮ２６インターフェースのある又はＮ２６インターフェースのない相互運用へのサポート状況を決定することに用いられ、前記登録モードはシングルシステムに登録する単重登録モード又はデュアルシステムに登録する二重登録モードであり、前記端末装置が現在前記第１システムにおける第１セルにアクセスしており、
前記第２決定ユニットは、前記端末装置の現在の登録モード及び／又はサポートする登録モード、及び／又は前記第１システムのＮ２６インターフェースのある又はＮ２６インターフェースのない相互運用へのサポート状況に応じて、前記端末装置が第２システムにおける第２セルにアクセスするために実行すべき又は実行できないプロセスを決定することに用いられることを特徴とするコアネットワーク装置。
【請求項１１】
前記端末装置のサポートする登録モードがは二重登録モードであることを特徴とする請求項１０に記載の装置。
【請求項１２】
前記二重登録モードは、前記端末装置がアタッチ要求におけるパケットデータネットワーク接続要求パラメータにおいてハンドオーバ（ｈａｎｄｏｖｅｒ）識別子を追加する能力を持つことを特徴とする請求項１０又は１１に記載の装置。
【請求項１３】
前記端末装置の現在の登録モードが単重登録モードである場合、前記実行すべきプロセスはハンドオーバプロセス又はリダイレクションプロセスであることを特徴とする請求項１０に記載の装置。
【請求項１４】
前記端末装置が現在前記第１セルと接続状態を維持し、前記第１システムと前記第２システムとの間にＮ２６インターフェースをサポートしない場合、前記実行すべきプロセスがリダイレクションプロセスであり、又は、
前記端末装置が現在前記第１セルと接続状態を維持し、前記第１システムがＮ２６インターフェースのない相互運用をサポートする場合、前記実行すべきプロセスがリダイレクションプロセスであることを特徴とする請求項１３に記載の装置。
【請求項１５】
前記端末装置はネットワーク側から送信された、ネットワーク側がＮ２６インターフェースのないハンドオーバをサポートすることを示すための指示情報を識別する場合、前記端末装置はトリガーされたリダイレクションプロセスを実行した後、前記ネットワーク側にアタッチ要求メッセージを送信し、又は、
前記端末装置はネットワーク側から送信された、ネットワーク側がＮ２６インターフェースのないハンドオーバをサポートすることを示すための指示情報を識別せず又は受信していない場合、前記端末装置はトリガーされたリダイレクションプロセスを実行した後、位置更新（ＴＡＵ）要求メッセージを送信することを特徴とする請求項１４に記載の装置。
【請求項１６】
前記ネットワーク装置はコアネットワーク装置であることを特徴とする請求項１０〜１５のいずれか１項に記載の装置。
【請求項１７】
前記第１システムが５Ｇシステムであり、前記第２システムがロングタームエボリューション（ＬＴＥ）システムであり、又は、
前記第１システムがロングタームエボリューション（ＬＴＥ）システムであり、前記第２システムが５Ｇシステムであることを特徴とする請求項１０〜１６のいずれか１項に記載の装置。
【請求項１８】
通信方法であって、
端末装置は第１システムにおいて第１ネットワーク装置に登録要求メッセージを送信し、前記登録要求メッセージには第１能力パラメータが追加され、前記第１能力パラメータは、前記端末装置がアタッチ要求におけるパケットデータネットワーク接続要求パラメータにおいてハンドオーバ（ｈａｎｄｏｖｅｒ）識別子を追加する能力を持つことを指示することを含むことを特徴とする通信方法。
【請求項１９】
第１能力パラメータは、前記端末装置が第１システムにおける第１セルから第２システムにおける第２セルにアクセスするために実行できるプロセスを決定することに用いられることを特徴とする請求項１８に記載の方法。
【請求項２０】
前記実行できるプロセスはリダイレクションプロセス又はハンドオーバプロセスを含むことを特徴とする請求項１８又は１９に記載の方法。
【請求項２１】
前記第１システムは５Ｇコアネットワーク（５ＧＣ）を含む５Ｇシステムであり、前記第２システムは進化型パケットコアネットワーク（ＥＰＣ）を含む４Ｇシステムであることを特徴とする請求項２０に記載の方法。
【請求項２２】
端末装置であって、通信ユニットを備え、
前記通信ユニットは、第１システムにおいて第１ネットワーク装置に登録要求メッセージを送信することに用いられ、前記登録要求メッセージには第１能力パラメータが追加され、前記第１能力パラメータは、前記端末装置がアタッチ要求におけるパケットデータネットワーク接続要求パラメータにおいてハンドオーバ（ｈａｎｄｏｖｅｒ）識別子を追加する能力を持つことを指示することを特徴とする端末装置。
【請求項２３】
第１能力パラメータは、前記端末装置が第１システムにおける第１セルから第２システムにおける第２セルにアクセスするために実行できるプロセスを決定することに用いられることを特徴とする請求項２２に記載の端末装置。
【請求項２４】
前記実行できるプロセスはリダイレクションプロセス又はハンドオーバプロセスを含むことを特徴とする請求項２２又は２３に記載の端末装置。
【請求項２５】
前記第１システムは５Ｇコアネットワーク（５ＧＣ）を含む５Ｇシステムであり、前記第２システムは進化型パケットコアネットワーク（ＥＰＣ）を含む４Ｇシステムであることを特徴とする請求項２４に記載の端末装置。
【国際調査報告】
2021510030.tif 000025
2021510030.tif 000026
2021510030.tif 000027
2021510030.tif 000028
2021510030.tif 000029